(57)【要約】  医療用液を輸液する注入器システムであって、少なくとも１つのシリンジを受け入れるように構成されており、プランジャ又は少なくとも１つのシリンジの端の壁に着脱可能に係合してこれを往復駆動する少なくとも１つのピストンを備える注入器と、少なくとも１つのシリンジの先端部の少なくとも一部に係合して、少なくとも１つのピストンの先端向きの移動により医療用液がリザーバーから輸液される際の注入器に対する先端方向への少なくとも１つのシリンジの移動を制限するように構成されている１つ以上の保持要素を備えるシリンジ保持接続装置とを含む注入器システム。
2022500210.tif 000002
【特許請求の範囲】
【請求項１】
医療用液を輸液する注入器システムであって、
少なくとも１つのシリンジを受け入れるように構成されており、プランジャ又は前記少なくとも１つのシリンジの端の壁に着脱可能に係合して往復駆動する少なくとも１つのピストンを備える注入器と、
前記少なくとも１つのシリンジの先端部の少なくとも一部に係合して、前記少なくとも１つのピストンの先端方向への移動により前記医療用液がリザーバーから輸液される際の前記注入器に対する先端方向への前記少なくとも１つのシリンジの移動を制限するように構成されている１つ以上の保持要素を備えるシリンジ保持接続装置と
を備える注入器システム。
【請求項２】
前記１つ以上の保持要素は、前記少なくとも１つのシリンジの前記先端部にあるフランジに係合するように構成されている、請求項１に記載の注入器システム。
【請求項３】
各保持要素は、前記フランジの先端側の面に係合するように構成されている第１の面と、前記フランジの基端側の面に係合するように構成されている第２の面とを備える、請求項２に記載の注入器システム。
【請求項４】
前記１つ以上の保持要素は、前記少なくとも１つのシリンジの前記先端部の円錐部の少なくとも一部に係合するように構成されている、請求項１から３のいずれか一項に記載の注入器システム。
【請求項５】
前記シリンジ保持接続装置は、前記保持要素を収容するブラケットを備え、
前記１つ以上の保持要素は、前記少なくとも１つのシリンジの長手方向軸に対して横方向に移動可能であるように構成されているスライド可能アームを備える、請求項１から４のいずれか一項に記載の注入器システム。
【請求項６】
前記スライド可能アームは、前記スライド可能アームが前記少なくとも１つのシリンジの前記先端部の前記少なくとも一部から外れている第１の位置と、前記スライド可能アームが前記少なくとも１つのシリンジの前記先端部の前記少なくとも一部に係合して、前記注入器に対する前記先端方向への前記少なくとも１つのシリンジの移動を制限する第２の位置との間で前記少なくとも１つのシリンジの前記先端部に対して横に移動可能である、請求項５に記載の注入器システム。
【請求項７】
前記スライド可能アームは、前記少なくとも１つのシリンジの外径を超える直径を持つ開口が前記スライド可能アームに形成される第１の位置と、前記注入器に対する前記先端方向への前記少なくとも１つのシリンジの移動が前記スライド可能アームによって制限されるように前記開口の前記直径が前記少なくとも１つのシリンジの外径未満である第２の位置との間で前記少なくとも１つのシリンジの前記先端部に対して横方向に移動可能である、請求項５に記載の注入器システム。
【請求項８】
操作者が手動で前記１つ以上の保持要素を作動させるか、または前記１つ以上の保持要素の作動を操作するようにプログラムまたは構成された少なくとも１つのプロセッサを用いて自動的に前記１つ以上の保持要素を作動させる、請求項１から７のいずれか一項に記載の注入器システム。
【請求項９】
前記シリンジ保持接続装置は、前記注入器に動作可能に接続されて前記注入器の長手方向軸まわりに回転可能である回転アームを備え、
前記回転アームは、前記少なくとも１つのシリンジの前記先端部の前記少なくとも一部に係合する前記１つ以上の保持要素を含む、請求項１から８のいずれか一項に記載の注入器システム。
【請求項１０】
前記回転アームは、前記１つ以上の保持要素が前記少なくとも１つのシリンジの前記先端部の前記少なくとも一部から外れている第１の位置と、前記保持要素が前記少なくとも１つのシリンジの前記先端部の前記少なくとも一部に係合して、前記注入器に対する前記先端方向への前記少なくとも１つのシリンジの移動を制限する第２の位置との間で回転するように構成されている、請求項９に記載の注入器システム。
【請求項１１】
前記１つ以上の保持要素の各々は、キャップ保持アームとフランジ保持アームとの少なくとも一方を備え、
前記回転アームが前記少なくとも１つのシリンジの前記先端部の前記少なくとも一部に係合するように位置する場合、前記キャップ保持アームは前記少なくとも１つのシリンジのキャップに係合し、前記フランジ保持アームは前記少なくとも１つのシリンジの前記先端部の前記少なくとも一部にあるフランジに係合する、請求項９又は１０に記載の注入器システム。
【請求項１２】
前記少なくとも１つのシリンジは、前記端の壁を備える転動型ダイヤフラムシリンジであり、前記転動型ダイヤフラムシリンジは、前記注入器に設けられる耐圧ジャケットに入れられる、請求項１から１１のいずれか一項に記載の注入器システム。
【請求項１３】
医療用液を輸液する注入器システムであって、
前記少なくとも１つのシリンジを受け入れるように構成されており、プランジャ又は前記少なくとも１つのシリンジの端の壁に着脱可能に係合して往復駆動する少なくとも１つのピストンを備える注入器と、
前記少なくとも１つのシリンジの先端円錐部の少なくとも一部に係合して、前記少なくとも１つのピストンの先端方向への移動により前記医療用液がリザーバーから輸液される際の前記注入器に対する前記先端方向への前記少なくとも１つのシリンジの前記移動を制限するように成形されている保持面を有する１つ以上の保持要素を備えるシリンジ保持接続装置と
を備える注入器システム。
【請求項１４】
前記シリンジ保持接続装置は、回転して互いに離接するように構成されている少なくとも２つの保持アームを備え、
各保持アームは、各保持アームの先端に設けられる保持要素を備える、請求項１３に記載の注入器システム。
【請求項１５】
前記保持アームは第１の位置と第２の位置との間で回転可能であり、
前記保持アームが前記第１の位置から前記第２の位置に回転する際、前記保持要素は前記少なくとも１つのシリンジの前記先端円錐部の前記少なくとも一部に係合し、
前記保持アームが前記第２の位置から前記第１の位置に回転する際、前記保持要素は前記少なくとも１つのシリンジの前記先端円錐部の前記少なくとも一部から外れる、
請求項１３又は１４に記載の注入器システム。
【請求項１６】
前記シリンジ保持接続装置は、前記保持アームが前記第２の位置まで回転した後に前記保持アームに係合して前記保持アーム同士が分離することを防ぐロック機構をさらに備える、請求項１３から１５のいずれか一項に記載の注入器システム。
【請求項１７】
前記シリンジ保持接続装置は、各保持アームの前記先端に設けられる少なくとも１つのロック突起をさらに備え、
前記ロック機構には、少なくとも１つのロック突起を受け入れて、前記保持アーム同士が分離するのを防ぐように構成されている少なくとも１つのロック溝が形成される、請求項１６に記載の注入器システム。
【請求項１８】
前記シリンジ保持接続装置は少なくとも２つの保持要素を備え、前記少なくとも２つの保持要素は、前記注入器上で保持されるカムプレートに動作可能に接続される、請求項１７に記載の注入器システム。
【請求項１９】
前記カムプレートは第１の位置と第２の位置との間で回転可能であり、
前記カムプレートが前記第１の位置から前記第２の位置に回転する際、前記少なくとも２つの保持要素は前記少なくとも１つのシリンジの前記先端円錐部の前記少なくとも一部に係合し、
前記カムプレートが前記第２の位置から前記第１の位置に回転する際、前記少なくとも２つの保持要素は前記少なくとも１つのシリンジの前記先端円錐部の前記少なくとも一部から外れる、
請求項１８に記載の注入器システム。
【請求項２０】
前記シリンジ保持接続装置は、前記保持要素が前記少なくとも１つのシリンジの前記先端円錐部に係合した後に前記保持要素を適所にロックする、各保持要素に対応するロックスライド部をさらに備える、請求項１８に記載の注入器システム。
【請求項２１】
前記少なくとも２つの保持要素は、前記少なくとも１つのシリンジの前記先端円錐部にあるフランジの下で前記少なくとも１つのシリンジの前記先端円錐部に係合する、請求項１７から２０のいずれか一項に記載の注入器システム。
【請求項２２】
前記保持要素の各々は、前記注入器に動作可能に接続される回転アームに動作可能に接続される、請求項１７から２１のいずれか一項に記載の注入器システム。
【請求項２３】
前記回転アームは、前記回転アームが前記少なくとも１つのシリンジの前記先端円錐部から外れている第１の位置と、前記回転アームが前記少なくとも１つのシリンジの前記先端円錐部に係合して、前記少なくとも１つのシリンジが前記注入器に対して前記先端方向に動くことを防ぐ第２の位置との間で移動可能である、請求項２２に記載の注入器システム。
【請求項２４】
前記シリンジ保持接続装置は、前記保持要素が前記少なくとも１つのシリンジの前記先端円錐部に係合した後に前記保持要素を適所にロックする、各保持要素に対応する少なくとも１つのロック要素をさらに備える、請求項２２に記載の注入器システム。
【請求項２５】
操作者が手動で前記１つ以上の保持要素を作動させるか、または前記１つ以上の保持要素の作動を操作するようにプログラムまたは構成された少なくとも１つのプロセッサを用いて自動的に前記１つ以上の保持要素を作動させる、請求項１７から２４のいずれか一項に記載の注入器システム。
【請求項２６】
前記少なくとも１つのシリンジは、前記端の壁を備える転動型ダイヤフラムシリンジであり、前記転動型ダイヤフラムシリンジは、前記注入器に設けられる耐圧ジャケットに受け入れられる、請求項１７から２５のいずれか一項に記載の注入器システム。
【請求項２７】
注入器にある少なくとも１つのシリンジを保持する方法であって、
前記少なくとも１つのシリンジを備える前記注入器を用意するステップと、
前記注入器に１つ以上の保持要素を有するシリンジ接続装置を設けるステップと、
前記少なくとも１つのシリンジが前記注入器に挿入されるのを可能にする係合解放位置まで前記１つ以上の保持要素を動かすステップと、
前記少なくとも１つのシリンジを前記注入器に挿入するステップと、
前記少なくとも１つのシリンジの先端部の少なくとも一部に係合する係合位置まで前記１つ以上の保持要素を動かして、前記少なくとも１つのシリンジのリザーバーで往復移動可能なプランジャの先端方向への移動により医療用液が前記少なくとも１つのシリンジの前記リザーバーから輸液される際の前記注入器に対する先端方向への前記少なくとも１つのシリンジの移動を制限するステップと
を備える方法。
【請求項２８】
前記１つ以上の保持要素は、前記係合解放位置と前記係合位置との間で動く場合に回転する、請求項２７に記載の方法。
【請求項２９】
前記１つ以上の保持要素は、前記係合解放位置と前記係合位置との間で動く場合に横方向にスライドする、請求項２７に記載の方法。
【発明の詳細な説明】
【技術分野】
【０００１】
関連出願の相互参照
本出願は、２０１９年９月１１日に出願された米国特許仮出願第６２／７２９，６４２号の利益を主張し、当該仮出願の開示の全体が参照により本明細書に援用される。
【０００２】
本開示は、概して、１つ以上のシリンジ保持特徴部を有する液注入器とともに用いるように構成されたキャップを有するシリンジであって、シリンジ保持特徴部がシリンジの先端に係合して、液注入手順中先端の方向のシリンジの移動を制限し、かつ加圧状態でシリンジの先端を支持する、シリンジに関する。
【背景技術】
【０００３】
多くの医療診断及び治療処置では、内科医などの医師が患者に１つ以上の医療用液を注入する。近年、造影剤液（単に「造影剤」とも称されることが多い）、生理的食塩水などのフラッシング剤やその他医療用液などの医療用液の加圧注入用のいくつかの注入器駆動式のシリンジや動力付き液注入器が、心血管血管造影法（ＣＶ）、コンピュータ断層撮影法（ＣＴ）、超音波法、磁気共鳴映像法（ＭＲＩ）、陽電子放射断層撮影法（ＰＥＴ）やその他画像化法などの手法の用途向けに開発されてきている。一般的に、これらの液注入器は、既定の量の液を既定の圧力及び／又は流量で輸液するように設計されている。
【０００４】
一般的に、液注入器は、たとえば、プランジャ、又はシリンジの基端の壁にある係合特徴部との接続によりシリンジに接続されるピストンなどの少なくとも１つの駆動部材を有する。シリンジは剛性の高いバレルを含む場合があり、バレル内にはシリンジプランジャがスライド可能に配置される。いくつかの例では、シリンジは、まくって重ねるように構成された柔軟な側壁を有する転動型ダイヤフラム（ｒｏｌｌｉｎｇ  ｄｉａｐｈｒａｇｍ）バレル構成を含んでもよい。本構成では、シリンジ本体の基端の壁が少なくとも１つの駆動部材と着脱可能に係合して協働する。駆動部材によってプランジャ、又は転動型ダイヤフラム／基端の壁をバレルの長手方向軸に対して基端の方向及び／又は先端の方向に駆動してシリンジバレル内に液を吸引したりシリンジバレルから輸液したりする。
【０００５】
液注入器とともに用いられるシリンジは、所定の最小壁厚を持つ様々な医療グレードのプラスチック材料製であってもよい。注入手順中に最大で１２００ｐｓｉの液圧が用いられる場合があるので、シリンジの厚さは重要な設計要因である。ある種の注入手順では、たとえば壁厚が十分には厚くない場合には、シリンジ単体では、上記のような圧力が加わっている中でシリンジ壁を径方向に過度に膨張させずに高圧に耐えることができないおそれがある。これにより、輸液量及び流量の意図しない変化が生じたり、構造上の不具合すら生じる可能性があったりするおそれがある。シリンジを取り囲んで、シリンジ内の液圧の上昇によるシリンジの径方向の膨張を防ぐ少なくとも１つの耐圧ジャケットを有する液注入器が開発されている。従来の耐圧ジャケットの設計には、耐圧ジャケットにシリンジ入れておくために剛性の高い先端のキャップに係合する剛性の高い円筒形の耐圧ジャケットが含まれる。
【発明の概要】
【発明が解決しようとする課題】
【０００６】
今日、充填手順又は注入液の輸液手順中の耐圧ジャケット内でのシリンジの移動を制限するのを補助するシリンジ保持接続装置が本技術に必要とされている。一例では、注入手順中の耐圧ジャケット及び／又は注入器ハウジングに対する先端の方向のシリンジの移動を制限するのを支援するシリンジ保持接続装置が必要である。
【課題を解決するための手段】
【０００７】
上記で認められた要求に鑑みて、医療用液の注入中に医療用注入器において少なくとも１つのシリンジを保持するシステム及び方法を提供する。本開示のいくつかの例では、医療用液を輸液する注入器システムは、少なくとも１つのシリンジを受け入れるように構成されており、プランジャ又は少なくとも１つのシリンジの端の壁に着脱可能に係合してこれを往復駆動する少なくとも１つのピストンを備える注入器と、少なくとも１つのシリンジの先端部の少なくとも一部に係合して、少なくとも１つのピストンの先端向きの移動により医療用液がリザーバーから輸液される際の注入器に対する先端の方向の少なくとも１つのシリンジの移動を制限するように構成されている１つ以上の保持要素を備えるシリンジ保持接続装置とを含んでもよい。
【０００８】
本開示の別の例では、１つ以上の保持要素は、少なくとも１つのシリンジの先端部にあるフランジに係合するように構成されてもよい。各保持要素は、フランジの先端側の面に係合するように構成されている第１の面と、フランジの基端側の面に係合するように構成されている第２の面とを含んでもよい。１つ以上の保持要素は、少なくとも１つのシリンジの先端部の円錐部の少なくとも一部に係合するように構成されてもよい。シリンジ保持接続装置は、保持要素を収容するブラケットを含んでもよく、１つ以上の保持要素は、少なくとも１つのシリンジの長手方向軸に対して横方向に移動可能であるように構成されているスライド可能アームを含んでもよい。スライド可能アームは、スライド可能アームが少なくとも１つのシリンジの先端部の少なくとも一部から外れている第１の位置と、スライド可能アームが少なくとも１つのシリンジの先端部の少なくとも一部に係合して、注入器に対する先端の方向の少なくとも１つのシリンジの移動を制限する第２の位置との間で少なくとも１つのシリンジの先端部に対して横に移動可能であってもよい。スライド可能アームは、少なくとも１つのシリンジの外径を超える直径を持つ開口がスライド可能アームに形成される第１の位置と、注入器に対する先端の方向の少なくとも１つのシリンジの移動がスライド可能アームによって制限されるように開口の直径が少なくとも１つのシリンジの外径未満である第２の位置との間で少なくとも１つのシリンジの先端部に対して横に移動可能であってもよい。操作者が手動で１つ以上の保持要素を作動させるか、１つ以上の保持要素の作動を操作するようにプログラムされるか構成されるかする少なくとも１つのプロセッサを用いて自動的に１つ以上の保持要素を作動させるかしてもよい。シリンジ保持接続装置は、注入器に動作可能に接続されて注入器の長手方向軸まわりに回転可能であってもよい回転アームを含んでもよく、回転アームは、少なくとも１つのシリンジの先端部の少なくとも一部に係合する１つ以上の保持要素を含んでもよい。回転アームは、１つ以上の保持要素が少なくとも１つのシリンジの先端部の少なくとも一部から外れている第１の位置と、保持要素が少なくとも１つのシリンジの先端部の少なくとも一部に係合して、注入器に対する先端の方向の少なくとも１つのシリンジの移動を制限する第２の位置との間で回転するように構成されてもよい。１つ以上の保持要素の各々は、キャップ保持アームとフランジ保持アームとの少なくとも一方を含んでもよく、回転アームが少なくとも１つのシリンジの先端部の少なくとも一部に係合するように位置するとき、キャップ保持アームは少なくとも１つのシリンジのキャップに係合してもよく、フランジ保持アームは少なくとも１つのシリンジの先端部の少なくとも一部にあるフランジに係合する。少なくとも１つのシリンジは、端の壁を含む転動型ダイヤフラムシリンジであってもよく、転動型ダイヤフラムシリンジは、注入器に設けられる耐圧ジャケットに入れられてもよい。
【０００９】
本開示の別の例では、医療用液を輸液する注入器システムは、少なくとも１つのシリンジを受け入れるように構成されており、プランジャ又は少なくとも１つのシリンジの端の壁に着脱可能に係合してこれを往復駆動する少なくとも１つのピストンを備える注入器と、少なくとも１つのシリンジの先端円錐部の少なくとも一部に係合して、少なくとも１つのピストンの先端向きの移動により医療用液がリザーバーから輸液される際の注入器に対する先端の方向の少なくとも１つのシリンジの移動を制限するように成形されている保持面を有する１つ以上の保持要素を備えるシリンジ保持接続装置とを含んでもよい。
【００１０】
本開示の別の例では、シリンジ保持接続装置は、回転して互いに離接するように構成されている少なくとも２つの保持アームを備え、各保持アームは、各保持アームの先端に設けられる保持要素を備える。保持アームは第１の位置と第２の位置との間で回転可能であり、保持アームが第１の位置から第２の位置に回転する際、保持要素は少なくとも１つのシリンジの先端円錐部の少なくとも一部に係合し、保持アームが第２の位置から第１の位置に回転する際、保持要素は少なくとも１つのシリンジの先端円錐部の少なくとも一部から外れる。シリンジ保持接続装置は、保持アームが第２の位置まで回転した後に保持アームに係合して保持アーム同士が分離することを防ぐロック機構をさらに備える。シリンジ保持接続装置は、各保持アームの先端に設けられる少なくとも１つのロック突起をさらに備え、ロック機構には、少なくとも１つのロック突起を入れて、保持アーム同士が分離するのを防ぐように構成されている少なくとも１つのロック溝が形成される。シリンジ保持接続装置は少なくとも２つの保持要素を含んでもよく、少なくとも２つの保持要素は、注入器上で保持されるカムプレートに動作可能に接続される。カムプレートは第１の位置と第２の位置との間で回転可能であってもよく、カムプレートが第１の位置から第２の位置に回転する際、少なくとも２つの保持要素は少なくとも１つのシリンジの先端円錐部の少なくとも一部に係合してもよく、カムプレートが第２の位置から第１の位置に回転する際、少なくとも２つの保持要素は少なくとも１つのシリンジの先端円錐部の少なくとも一部から外れてもよい。シリンジ接続装置は、保持要素が少なくとも１つのシリンジの先端円錐部に係合した後に保持要素を適所にロックする、各保持要素に対応するロックスライド部をさらに含んでもよい。少なくとも２つの保持要素は、少なくとも１つのシリンジの先端円錐部にあるフランジの下で少なくとも１つのシリンジの先端円錐部に係合してもよい。保持要素の各々は、注入器に動作可能に接続される回転アームに機能が発揮されるように接続されてもよい。回転アームは、回転アームが少なくとも１つのシリンジの先端円錐部から外れている第１の位置と、回転アームが少なくとも１つのシリンジの先端円錐部に係合して、少なくとも１つのシリンジが注入器に対して先端の方向に動くことを防ぐ第２の位置との間で移動可能であってもよい。シリンジ接続装置は、保持要素が少なくとも１つのシリンジの先端円錐部に係合した後に保持要素を適所にロックする、各保持要素に対応する少なくとも１つのロック要素をさらに含んでもよい。操作者が手動で１つ以上の保持要素を作動させるか、１つ以上の保持要素の作動を操作するようにプログラムされるか構成されるかする少なくとも１つのプロセッサを用いて自動的に１つ以上の保持要素を作動させるかしてもよい。少なくとも１つのシリンジは、端の壁を含む転動型ダイヤフラムシリンジであってもよい。転動型ダイヤフラムシリンジは、注入器にある耐圧ジャケットに入れられてもよい。
【００１１】
本開示の別の例では、注入器にある少なくとも１つのシリンジを保持する方法は、少なくとも１つのシリンジを備える注入器を用意するステップと、注入器に１つ以上の保持要素を有するシリンジ接続装置を設けるステップと、少なくとも１つのシリンジが注入器に挿入されるのを可能にする係合解放位置まで１つ以上の保持要素を動かすステップと、少なくとも１つのシリンジを注入器に挿入するステップと、少なくとも１つのシリンジの先端部の少なくとも一部に係合する係合位置まで１つ以上の保持要素を動かして、少なくとも１つのシリンジのリザーバーで往復移動可能なプランジャの先端向きの移動により医療用液が少なくとも１つのシリンジのリザーバーから輸液される際の注入器に対する先端の方向の少なくとも１つのシリンジの移動を制限するステップとを含んでもよい。１つ以上の保持要素は係合解放位置と係合位置との間で動くときに回転してもよい。１つ以上の保持要素は係合解放位置と係合位置との間で動くときに横方向にスライドしてもよい。
【００１２】
本発明の様々な他の態様を以下の項の１つ以上に記載する。
【００１３】
第１項：医療用液を輸液する注入器システムであって、少なくとも１つのシリンジを受け入れるように構成されており、プランジャ又は少なくとも１つのシリンジの端の壁に着脱可能に係合してこれを往復駆動する少なくとも１つのピストンを備える注入器と、少なくとも１つのシリンジの先端部の少なくとも一部に係合して、少なくとも１つのピストンの先端向きの移動により医療用液がリザーバーから輸液される際の注入器に対する先端の方向の少なくとも１つのシリンジの移動を制限するように構成されている１つ以上の保持要素を備えるシリンジ保持接続装置とを備える注入器システム。
【００１４】
第２項：１つ以上の保持要素は、少なくとも１つのシリンジの先端部にあるフランジに係合するように構成されている、第１項に記載の注入器システム。
【００１５】
第３項：各保持要素は、フランジの先端側の面に係合するように構成されている第１の面と、フランジの基端側の面に係合するように構成されている第２の面とを備える、第２項に記載の注入器システム。
【００１６】
第４項：１つ以上の保持要素は、少なくとも１つのシリンジの先端部の円錐部の少なくとも一部に係合するように構成されている、第１項から第３項のいずれか一項に記載の注入器システム。
【００１７】
第５項：シリンジ保持接続装置は、保持要素を収容するブラケットを備え、１つ以上の保持要素は、少なくとも１つのシリンジの長手方向軸に対して横方向に移動可能であるように構成されているスライド可能アームを備える、第１項から第４項のいずれか一項に記載の注入器システム。
【００１８】
第６項：スライド可能アームは、スライド可能アームが少なくとも１つのシリンジの先端部の少なくとも一部から外れている第１の位置と、スライド可能アームが少なくとも１つのシリンジの先端部の少なくとも一部に係合して、注入器に対する先端の方向の少なくとも１つのシリンジの移動を制限する第２の位置との間で少なくとも１つのシリンジの先端部に対して横に移動可能である、第５項に記載の注入器システム。
【００１９】
第７項：スライド可能アームは、少なくとも１つのシリンジの外径を超える直径を持つ開口がスライド可能アームに形成される第１の位置と、注入器に対する先端の方向の少なくとも１つのシリンジの移動がスライド可能アームによって制限されるように開口の直径が少なくとも１つのシリンジの外径未満である第２の位置との間で少なくとも１つのシリンジの先端部に対して横に移動可能である、第５項に記載の注入器システム。
【００２０】
第８項：操作者が手動で１つ以上の保持要素を作動させるか、１つ以上の保持要素の作動を操作するようにプログラムされるか構成されるかする少なくとも１つのプロセッサを用いて自動的に１つ以上の保持要素を作動させるかする、第１項から第７項のいずれか一項に記載の注入器システム。
【００２１】
第９項：シリンジ保持接続装置は、注入器に動作可能に接続されて注入器の長手方向軸まわりに回転可能である回転アームを備え、回転アームは、少なくとも１つのシリンジの先端部の少なくとも一部に係合する１つ以上の保持要素を含む、第１項から第８項のいずれか一項に記載の注入器システム。
【００２２】
第１０項：回転アームは、１つ以上の保持要素が少なくとも１つのシリンジの先端部の少なくとも一部から外れている第１の位置と、保持要素が少なくとも１つのシリンジの先端部の少なくとも一部に係合して、注入器に対する先端の方向の少なくとも１つのシリンジの移動を制限する第２の位置との間で回転するように構成されている、第９項に記載の注入器システム。
【００２３】
第１１項：１つ以上の保持要素の各々は、キャップ保持アームとフランジ保持アームとの少なくとも一方を備え、回転アームが少なくとも１つのシリンジの先端部の少なくとも一部に係合するように位置するとき、キャップ保持アームは少なくとも１つのシリンジのキャップに係合し、フランジ保持アームは少なくとも１つのシリンジの先端部の少なくとも一部にあるフランジに係合する、第９項又は第１０項に記載の注入器システム。
【００２４】
第１２項：少なくとも１つのシリンジは、端の壁を備える転動型ダイヤフラムシリンジであり、転動型ダイヤフラムシリンジは、注入器に設けられる耐圧ジャケットに入れられる、第１項から第１１項のいずれか一項に記載の注入器システム。
【００２５】
第１３項：医療用液を輸液する注入器システムであって、少なくとも１つのシリンジを受け入れるように構成されており、プランジャ又は少なくとも１つのシリンジの端の壁に着脱可能に係合してこれを往復駆動する少なくとも１つのピストンを備える注入器と、少なくとも１つのシリンジの先端円錐部の少なくとも一部に係合して、少なくとも１つのピストンの先端向きの移動により医療用液がリザーバーから輸液される際の注入器に対する先端の方向の少なくとも１つのシリンジの移動を制限するように成形されている保持面を有する１つ以上の保持要素を備えるシリンジ保持接続装置とを備える注入器システム。
【００２６】
第１４項：シリンジ保持接続装置は、回転して互いに離接するように構成されている少なくとも２つの保持アームを備え、各保持アームは、各保持アームの先端に設けられる保持要素を備える、第１３項に記載の注入器システム。
【００２７】
第１５項：保持アームは第１の位置と第２の位置との間で回転可能であり、保持アームが第１の位置から第２の位置に回転する際、保持要素は少なくとも１つのシリンジの先端円錐部の少なくとも一部に係合し、保持アームが第２の位置から第１の位置に回転する際、保持要素は少なくとも１つのシリンジの先端円錐部の少なくとも一部から外れる、第１３項又は第１４項に記載の注入器システム。
【００２８】
第１６項：シリンジ保持接続装置は、保持アームが第２の位置まで回転した後に保持アームに係合して保持アーム同士が分離することを防ぐロック機構をさらに備える、第１３項から第１５項のいずれか一項に記載の注入器システム。
【００２９】
第１７項：シリンジ保持接続装置は、各保持アームの先端に設けられる少なくとも１つのロック突起をさらに備え、ロック機構には、少なくとも１つのロック突起を入れて、保持アーム同士が分離するのを防ぐように構成されている少なくとも１つのロック溝が形成される、第１６項に記載の注入器システム。
【００３０】
第１８項：シリンジ保持接続装置は少なくとも２つの保持要素を備え、少なくとも２つの保持要素は、注入器上で保持されるカムプレートに動作可能に接続される、第１３項に記載の注入器システム。
【００３１】
第１９項：カムプレートは第１の位置と第２の位置との間で回転可能であり、カムプレートが第１の位置から第２の位置に回転する際、少なくとも２つの保持要素は少なくとも１つのシリンジの先端円錐部の少なくとも一部に係合し、カムプレートが第２の位置から第１の位置に回転する際、少なくとも２つの保持要素は少なくとも１つのシリンジの先端円錐部の少なくとも一部から外れる、第１８項に記載の注入器システム。
【００３２】
第２０項：シリンジ接続装置は、保持要素が少なくとも１つのシリンジの先端円錐部に係合した後に保持要素を適所にロックする、各保持要素に対応するロックスライド部をさらに備える、第１８項に記載の注入器システム。
【００３３】
第２１項：少なくとも２つの保持要素は、少なくとも１つのシリンジの先端円錐部にあるフランジの下で少なくとも１つのシリンジの先端円錐部に係合する、第１７項から第２０項のいずれか一項に記載の注入器システム。
【００３４】
第２２項：保持要素の各々は、注入器に動作可能に接続される回転アームに機能が発揮されるように接続される、第１７項から第２１項のいずれか一項に記載の注入器システム。
【００３５】
第２３項：回転アームは、回転アームが少なくとも１つのシリンジの先端円錐部から外れている第１の位置と、回転アームが少なくとも１つのシリンジの先端円錐部に係合して、少なくとも１つのシリンジが注入器に対して先端の方向に動くことを防ぐ第２の位置との間で移動可能である、第２２項に記載の注入器システム。
【００３６】
第２４項：シリンジ接続装置は、保持要素が少なくとも１つのシリンジの先端円錐部に係合した後に保持要素を適所にロックする、各保持要素に対応する少なくとも１つのロック要素をさらに備える、第２２項に記載の注入器システム。
【００３７】
第２５項：操作者が手動で１つ以上の保持要素を作動させるか、１つ以上の保持要素の作動を操作するようにプログラムされるか構成されるかする少なくとも１つのプロセッサを用いて自動的に１つ以上の保持要素を作動させるかする、第１７項から第２４項のいずれか一項に記載の注入器システム。
【００３８】
第２６項：少なくとも１つのシリンジは、端の壁を備える転動型ダイヤフラムシリンジであり、転動型ダイヤフラムシリンジは、注入器に設けられる耐圧ジャケットに入れられる、第１７項から第２５項のいずれか一項に記載の注入器システム。
【００３９】
第２７項：注入器にある少なくとも１つのシリンジを保持する方法であって、少なくとも１つのシリンジを備える注入器を用意するステップと、注入器に１つ以上の保持要素を有するシリンジ接続装置を設けるステップと、少なくとも１つのシリンジが注入器に挿入されるのを可能にする係合解放位置まで１つ以上の保持要素を動かすステップと、少なくとも１つのシリンジを注入器に挿入するステップと、少なくとも１つのシリンジの先端部の少なくとも一部に係合する係合位置まで１つ以上の保持要素を動かして、少なくとも１つのシリンジのリザーバーで往復移動可能なプランジャの先端向きの移動により医療用液が少なくとも１つのシリンジのリザーバーから輸液される際の注入器に対する先端の方向の少なくとも１つのシリンジの移動を制限するステップとを備える方法。
【００４０】
第２８項：１つ以上の保持要素は係合解放位置と係合位置との間で動くときに回転する、第２７項に記載の方法。
【００４１】
第２９項：１つ以上の保持要素は係合解放位置と係合位置との間で動くときに横方向にスライドする、第２７項に記載の方法。
【００４２】
本出願で詳細に説明されている様々な例のさらに別の詳細及び効果が、添付の図面とあわせて様々な例の以下の詳細な説明を検討することで明らかになる。
【図面の簡単な説明】
【００４３】
【図１】本開示の一例すなわち一態様に係る、複数液式輸液システムに用いるように構成されている液注入器の斜視図である。
【図２】図１の液注入器とともに用いられるシリンジの斜視図である。
【図３Ａ】本開示の一例すなわち一態様に係るシリンジ保持接続装置の平面図である。
【図３Ｂ】図３Ａのシリンジ保持接続装置の側面図である。
【図４Ａ】係合位置にある様子が示されている図３Ａのシリンジ保持接続装置の平面図である。
【図４Ｂ】係合位置にある様子が示されている図３Ａのシリンジ保持接続装置の側面図である。
【図５】本開示の別の態様に係るシリンジ保持接続装置の斜視図である。
【図６】図５のシリンジ保持接続装置の正面図である。
【図７】図５のシリンジ保持接続装置の内部構成要素の斜視図である。
【図８】図５のシリンジ保持接続装置の斜視図である。
【図９】第１の保持部材が開放位置にあり第２の保持部材が閉鎖位置にある本開示の一例すなわち一態様に係るシリンジ保持接続装置の斜視図である。
【図１０】本開示の別の態様に係るシリンジ保持接続装置の斜視図である。
【図１１】図１０のシリンジ保持接続装置の別の斜視図である。
【図１２】保持位置にある図１０のシリンジ保持接続装置の別の斜視図である。
【図１３】ロック位置にある図１０のシリンジ保持接続装置の別の斜視図である。
【図１４】ロック位置にある図１０の保持アームの斜視図である。
【図１５】開放位置にある図１０の保持アームの側面図である。
【図１６Ａ】保持位置にある図１０の保持アームの側面図である。
【図１６Ｂ】シリンジ保持接続装置のカムを用いる代替実施形態の側面図を示す。
【図１７】ロック位置にある図１０の保持アームの側面図である。
【図１８】本開示の別の態様に係るシリンジ保持接続装置の斜視図である。
【図１９】シリンジを内部に配置した図１８のシリンジ保持接続装置の斜視図である。
【図２０】保持位置にある図１８のシリンジ保持接続装置の斜視図である。
【図２１】開放位置にある様子が示されている図１８のシリンジ保持接続装置の保持要素の斜視図である。
【図２２】保持位置にある様子が示されている図２１の保持要素の斜視図である。
【図２３】保持位置にある様子が示されている図２１の保持要素の別の斜視図である。
【図２４】ロック位置にある様子が示されている図２１の保持要素の斜視図である。
【発明を実施するための形態】
【００４４】
図１〜図２４では、別記されていない限り、同様の符号は、場合により、同じ構成要素及び要素を指す。
【００４５】
本出願で用いられている「ａ」、「ａｎ」及び「ｔｈｅ」の単数形は、文脈上明らかに別義を指すことがない限り、複数の指示対象を含む。
【００４６】
「左」、「右」、「内」、「外」、「上」、「下」などの空間的用語すなわち方向的用語は、図に示されているように本発明に関係し、本発明において様々な異なる方向をとることができる場合には限定を課すものであるとみなされるべきではない。
【００４７】
明細書及び請求項で用いられているすべての数は用語「約」によってすべての場合に修正されると解するものとする。用語「約」は、記載されている値のプラスマイナス２５パーセントを含むことを意図しており、たとえば、記載されている値のプラスマイナス１０パーセントを含むことを意図している。ただし、このことを、均等論に基づいて値についてなにかしら検討することを制限するものとみなすべきではない。
【００４８】
別記されていない限り、本出願で開示されているすべての範囲又は比率は、始点値及び終点値、並びに当該範囲又は比率に含まれるすべての部分的範囲又は部分的比率を含むと解する。たとえば、記載範囲「１〜１０」又は記載比率「１：１０」は、最小値１と最大値１０との間（これらも含む）のあらゆる部分的範囲又は部分的比率、すなわち、最小値が１以上から始まり、最大値が１０以下で終わるすべての部分的範囲又は部分的比率を含むと当然みなされる。本出願で開示されている範囲及び／又は比率は、指定された範囲及び／又は比率にわたる平均値を表わす。
【００４９】
用語「第１」、「第２」などは、特定の順序や時系列を指すことを意図しておらず、異なる状態、特性や要素を指す。
【００５０】
本明細書で引用されているすべての文献の全体が「参照により援用される」。
【００５１】
用語「少なくとも」は「以上」と同義である。
【００５２】
用語「超えない」は「以下」と同義である。
【００５３】
本出願で用いられている「の少なくとも１つ」は「の１つ以上」と同義である。たとえば、語句「Ａ、Ｂ及びＣの少なくとも１つ」は、Ａ、Ｂ若しくはＣのいずれか１つ、又はＡ、Ｂ若しくＣのいずれか２つ以上の任意の組合せを意味する。たとえば、「Ａ、Ｂ及びＣの少なくとも１つ」は、Ａのみ、又はＢのみ、又はＣのみ、又はＡ及びＢ、又はＡ及びＣ、又はＢ及びＣ、又はＡ、Ｂ及びＣのすべてを含む。
【００５４】
用語「含む」は「備える」と同義である。
【００５５】
シリンジ、たとえば転動型ダイヤフラムシリンジに関して用いられている場合、用語「基端」は、シリンジの端の壁に係合し、シリンジから輸液するためのピストン要素に最も近いシリンジの部分を指す。液経路に関して用いられている場合、用語「基端」は、液経路が注入器システムに接続されているときに注入器システムに最も近い液経路の部分を指す。シリンジに関して用いられている場合、用語「先端」は、輸液ノズルに最も近いシリンジの部分を指す。液経路に関して用いられている場合、用語「先端」は、液経路が注入器システムに接続されているときに患者に最も近い液経路の部分を指す。用語「径方向」は、基端と先端との間で延びるシリンジの長手方向軸に垂直な断面平面内の方向を指す。用語「周方向」は、シリンジの側壁の内面又は外面を周回する方向を指す。用語「軸方向」は、基端と先端との間で延びるシリンジの長手方向軸の方向を指す。
【００５６】
ただし、否定する記載が存在する場合を除いて、本開示は代替変形例及びステップ列の形態をとり得るものと解する。また、添付の図面に示され、以下の記載で説明されている特定のデバイス及び工程は単に開示例の典型的な態様であると解する。したがって、本出願で開示されている例に関する特定の寸法及びその他物理的特徴は、限定を課すものとみなされない。
【００５７】
いくつかの実施形態では、後述されている保持特徴部がシリンジ及び／又はシリンジキャップの１つ以上の表面に係合して、注入手順の間に、たとえば、シリンジに液を充填しかつ／又はシリンジから輸液する間にシリンジ及び内部キャップアセンブリが基端及び／又は先端の方にスライドすることを可能にしつつ、軸方向に関する定位置に外部キャップアセンブリをとどめておくことができる。このような外部キャップアセンブリ及び内部キャップアセンブリの例（この例によって限定は課されない）は、名称が「Ｓｌｉｄｉｎｇ  Ｓｙｒｉｎｇｅ  Ｃａｐ  Ｆｏｒ  Ｓｅｐａｒａｔｅ  Ｆｉｌｌｉｎｇ  Ａｎｄ  Ｄｅｌｉｖｅｒｙ」であり、出願日が２０１７年９月１３日である米国仮出願第６２／５５８，０１２号と、名称が「Ｓｙｒｉｎｇｅ  Ｃａｐ  Ａｎｄ  Ｓｙｒｉｎｇｅ  Ｒｅｔａｉｎｉｎｇ  Ｍｅｃｈａｎｉｓｍ」であり、出願日が２０１７年１０月２０日である米国仮出願第６２／５７２，０６２号と、上記出願の優先権を主張し、名称が「Ｓｌｉｄｉｎｇ  Ｓｙｒｉｎｇｅ  Ｃａｐ  Ｆｏｒ  Ｓｅｐａｒａｔｅ  Ｆｉｌｌｉｎｇ  Ａｎｄ  Ｄｅｌｉｖｅｒｙ」であり、出願日が２０１８年９月１２日である対応ＰＣＴ国際出願とに詳細に説明されている。これらの出願の各々の開示が本参照により本明細書に援用される。
【００５８】
同様の参照符号が同様の部分をそれのいくつかの図にわたって指す図面を参照して、本開示は、概して医療用注入器／注入システム１００（以下、「液注入器システム１００」）、たとえば、前装式シリンジ及び転動型ダイヤフラム型シリンジを含む１つ以上のシリンジを含む注入器システムを対象にする。ただし、本開示の様々な方法やプロトコールを、シリンジを基本とした他の注入器システムに利用したり当該システムに組み込んだりしてもよい。
【００５９】
図１を参照して、液注入器システム１００が複数の構成要素を含み、以下、これらを個別に説明する。概説すると、液注入器システム１００は、注入プロトコール中に注入器の様々な構成要素を移動させるように構成され、少なくとも１つのプロセッサによって操作される動力付き注入器の管理部すなわち管理デバイスと、動力付き注入器に付属し、１つ以上の液を取り込んで加圧下で１つ以上のリザーバーから１つ以上の液を患者に輸液することを意図した輸液セットとを有する。一実施形態（この実施形態によって限定は課されない）に係る液注入器システム１００の様々なデバイスと、構成要素及び特徴部と、液注入器システム１００に付属する輸液セットも本出願で同様に詳細に説明する。一例では、液注入器システム１００は、シリンジや転動型ダイヤフラム１３２などの少なくとも１つのリザーバーと、従来のシリンジのプランジャ又は転動型ダイヤフラムシリンジのピストン係合特徴部１４１に可逆的に接続可能である接続装置１４を有する少なくとも１つのピストン１６（図２を参照）と、液制御モジュール（図示せず）とを含んでもよい。少なくとも１つのシリンジ１３２がシリンジポート１３や耐圧ジャケット１３４などのシステムの少なくとも１つの構成要素との接続にほぼ適合する。概説すると、液注入器システム１００は、注入手順で少なくとも１種類の液Ｆを患者に輸液するように構成されている。液注入器システム１００は、少なくとも１つのシリンジ１３２を着脱可能に収容するように構成されており、少なくとも１つのシリンジ１３２には、液導管２３を通じて液供給源２１によって供給される撮影用造影剤、生理的食塩水、乳酸リンゲル液や所望の任意の医療用液などの少なくとも１種類の液Ｆが充填される。システムはマルチシリンジ注入器であってもよく、このシステムでは、数個のシリンジの向きを横並びに揃えたり、別の空間的関係にして向きを設定したりしてもよく、数個のシリンジを注入器に付属する対応するピストンによって個別に作動させる。少なくとも１つのシリンジ１３２の向きを、直立、まっすぐや任意の角度での配置など、任意の仕方で設定してもよい。別の実施形態では、液注入器１００を１つ以上の転動型ダイヤフラムシリンジに接続してもよい。
【００６０】
図１を引き続き参照して、医療処置中に注入器システム１００を用いて、少なくとも１つのピストン１６（図２を参照）などの駆動部材により、少なくとも１つのシリンジ１３２のプランジャ１４を駆動したり転動型ダイヤフラムシリンジの基端の壁１４３を駆動したりすることによって患者の血管系に少なくとも１種類の医療用液Ｆを注入してもよい。少なくとも１つのピストン１６は、往復動作をして、プランジャ１４や基端の壁１４３などの少なくとも１つのシリンジ１３２の少なくとも一部に作用可能であってもよい。係合すると、少なくとも１つのピストンは、少なくとも１つのシリンジ１３２の先端１４０の方にプランジャ１４又は基端の壁１４３を移動させ、また、少なくとも１つのシリンジ１３２の基端の端１４２の方にプランジャ１４又は基端の壁１４３を後退させることができる。シリンジ１３２は長手方向軸３１に沿って延びている。液導管２３を、各シリンジ１３２の流出口と連通する状態でこの流出口に接続して、シリンジ１３２の各々から、患者のバスキュラアクセス部位に挿入されたカテーテル（図示せず）に液Ｆを輸液するために、各シリンジ１３２をカテーテルと連通させてもよい。
【００６１】
様々な例では、本開示のシリンジ保持特徴部は、米国特許第５，３８３，８５８号、米国特許第７，５５３，２９４号、米国特許第７，５６３，２４９号、米国特許第７，６６６，１６９号、米国特許第８，９４５，０５１号、米国特許第９，１７３，９９５号、米国特許第９，１９９，０３３号、米国特許第９，４７４，８５７号及び米国特許第１０，１２４，１１０号、米国特許出願第１５／３０５，２８５号、米国特許出願第１５／５４１，５７３号及び米国特許出願第１５／５６８，５０５号並びにＰＣＴ出願公開第ＷＯ２０１６／１９１４８５号及びＰＣＴ出願公開第ＷＯ２０１６／１１２１６３号に開示されているような、単装又は連装シリンジ型の前装式液注入器システムの用途に適する場合がある。上記の開示の全体が参照により本明細書に援用される。また、本開示のシリンジ保持特徴部は、単装又は連装転動型ダイヤフラムシリンジ型の前装式液注入器システムの用途に適する場合がある。当該システムの例は、国際出願第ＰＣＴ／ＵＳ２０１７／０５６７４７号、国際出願第ＷＯ２０１６／１７２４６７号及び国際出願第ＷＯ２０１５／１６４７８３号に開示されており、これらの国際出願の開示の全体が参照により本明細書に援用される。いくつかの例では、シリンジは転動型ダイヤフラムシリンジであってもよい。いくつかの例では、シリンジは、名称が「Ｂｌａｄｄｅｒ  Ｓｙｒｉｎｇｅ  Ｆｌｕｉｄ  Ｄｅｌｉｖｅｒｙ  Ｓｙｓｔｅｍ」である米国特許出願第１３／８８１，０７２号で説明されている嚢洗浄用シリンジ（ｂｌａｄｄｅｒ  ｓｙｒｉｎｇｅ）や、名称が「Ｂｅｌｌｏｗｓ  Ｓｙｒｉｎｇｅ  Ｆｌｕｉｄ  Ｄｅｌｉｖｅｒｙ  Ｓｙｓｔｅｍ」である米国特許出願第１３／８３４，６２４号で説明されているシリンジであってもよい。これらの出願の開示の全体が参照により本明細書に援用される。
【００６２】
図１を参照して、液注入器システム１００（「注入器」とも称する）は、両側面１０４、先端すなわち上端１０６及び基端すなわち下端１０８を有する注入器ハウジング１０２を含む。ハウジング１０２は、様々な機械的駆動構成要素と、機械的駆動構成要素を駆動するのに必要な電気的構成要素及び電源構成要素と、本出願で説明されている液注入器システム１００に付属する往復移動可能なピストン要素の動作（コントローラやプロセッサとの通信を含む）を制御するのに用いられる電子メモリ及び電子制御デバイス（以下、１個又は複数の電子制御デバイス）などの制御構成要素とを収納する。
【００６３】
図１を参照して、液注入器システム１００はグラフィカルユーザインタフェイス（ＧＵＩ）ディスプレイウインドウなどの１つ以上のユーザインタフェイス１２４を含む。ユーザインタフェイス１２４は、現在の流量、液圧や、液注入器システム１００に接続された液供給源２１の残量など、液注入器システム１００に関与する液注入手順に関する情報を表示してもよい。いくつかの実施形態では、１つ以上のユーザインタフェイス１２４は、操作者が液注入器システム１００の動作のためのコマンド及び／又はデータを入力するのを可能にする少なくとも１つのタッチ画面ＧＵＩであってもよい。ユーザインタフェイス１２４が注入器ハウジング１０２上にある様子が示されているが、インタフェイス１２４は、液注入器システム１００のハウジング１０２並びに制御要素及び機械的要素に有線接続されたり無線接続されたりする付属のリモートディスプレイとして形成されたり付属のリモートディスプレイを含んだりすることもしてもよい。いくつかの態様では、ユーザインタフェイス１２４は、ハウジング１０２に着脱可能に接続され、ハウジング１０２と有線接続で通信したり無線接続で通信したりするタブレットコンピュータであってもよい。液注入器システム１００は、液注入器システム１００と電子通信し、液注入器システム１００の１つ以上の機能を制御するように構成されている１つ以上のプロセッサをさらに含んでもよい。これに加えて、液注入器システム１００及び／又はユーザインタフェイス１２４は、本出願で説明されているシリンジ保持特徴部を係合させ外すためのボタンなど、液注入器システム１００の補助操作者が感触のある操作を行なうための少なくとも１つの制御ボタン１２６を含んでもよい。いくつかの態様では、少なくとも１つの制御ボタン１２６は、操作者がコマンド及び／又はデータを入力するためのキーボードの一部であってもよい。少なくとも１つの制御ボタン１２６を、液注入器システム１００に付属する１個又は複数の電子制御デバイスに配線で接続したり無線接続したりして、１個又は複数の電子制御デバイスに直接入力することを実現してもよい。また、少なくとも１つの制御ボタン１２６にグラフィックを用いて、少なくとも１つの制御ボタン１２６がタッチ画面などのユーザインタフェイス１２４の一部であってもよい。いずれの構成においても、少なくとも１つの制御ボタン１２６によって（１）液注入器システム１００の充填／パージ、（２）患者及び／又は注入手順に関する情報及び／又はデータの入力、及び（３）注入処置の開始／停止など（これらに限定されない）のいくつかの独立した制御特徴を液注入器システム１００の補助操作者に提示することが望ましい。液注入器システム１００に付属するユーザインタフェイス１２４及び／又は任意の電子処理ユニットを、病院ネットワークシステムなどの、運用システム及び／又はデータ記憶システムに有線接続したり無線接続したりしてもよい。
【００６４】
本出願で用いられている電子制御デバイスは、適切なカスタム設計ソフトウェアや従来のソフトウェアを実行して本開示の方法及びシステムの実施形態の処理ステップの実行及び実施を行なうことにより、専用の特殊なコンピュータシステムを形成したり形成するように動作可能であったりするプロセッサを含む。したがって、ここで開示されている方法及びシステムは、本開示に関連して後述されている方法、工程及び変換によるデータ操作を処理ユニットに実行させたり構成させたりその他実施させたりするコンピュータ可読プログラムコードすなわち指示を記憶することができるコンピュータ可読記憶媒体を有する１つ以上の電子制御デバイスや同様のコンピューティングデバイスを含んでもよい。さらにまた、電子制御デバイスは、コンピュータ、パーソナルデジタルアシスタント、ポータブルコンピュータ、ラップトップ、パームトップ、モバイルデバイス、携帯電話器、サーバや、データを適切に処理して、ここで開示されている、コンピュータで実施される方法及びシステムを効果的に実施するのに必要な処理ハードウェアを有するその他一切のタイプのコンピューティングデバイスとして形成されてもよい。一例では、電子制御デバイスをユーザインタフェイス１２４や対応するプロセッサに格納してもよい。
【００６５】
図３Ａ及び図３Ｂを参照して、シリンジ保持接続装置２００の一例すなわち一態様が示されている。液注入器システム１００にシリンジ保持接続装置２００を設けて、シリンジ内部１３９でのプランジャ１４の先端への移動及び／又は基端への移動によりシリンジ内部１３９から医療用液が輸液されかつ／又はシリンジ内部１３９に医療用液が吸引される際に、注入器ハウジング１０２に対して先端の方向及び／又は基端の方向にシリンジ１３２のうちの少なくとも１つが移動することを制限してもよい。シリンジ保持接続装置２００は、注入器ハウジング１０２などの支持面に動作可能に接続されて少なくとも１つの回動点２３１まわりに回転可能である少なくとも１つの回転アーム２０２として形成されている少なくとも１つの保持要素を含んでもよい。一実施形態では、液注入器システム１００の耐圧ジャケット１３４に入れられた状態に保たれた２つのシリンジ１３２の間に回転アーム２０２を配置してもよく、たとえば、この状態では、各シリンジ１３２を対応する耐圧ジャケット１３４に入れておく。回転アーム２０２の第１及び第２の端が第１及び第２のシリンジ１３２の先端の方にそれぞれ延びてもよい。回転アーム２０２は回動点２３１まわりに、注入器ハウジング１０２の長手方向軸Ａまわりに回転可能であってもよい。回転アーム２０２の先端の各々は保持要素２０４を含んでもよい。これらの保持要素２０４は互いに反対方向に延び、かつ回転アーム２０２の長尺部に垂直に延びてもよい。
【００６６】
保持要素２０４の各々は少なくとも１つのキャップ保持面２０６と、キャップ保持面２０６から離間している１つ以上のシリンジフランジ保持アーム２０８とを含んでもよい。シリンジフランジ保持アーム２０８には、係合位置にあるときに対応するシリンジ１３２の先端１４０の近傍にあるシリンジフランジ１３３の少なくとも一部を受け入れるように構成されているスロット２１０を形成してもよい。回転アーム２０２は、少なくとも２つの位置の間で回転するように構成されている。すなわち、保持要素２０４の各々が、対応するシリンジ１３２の先端１４０の近傍にあるシリンジフランジ１３３から外れている、図３Ａ及び図３Ｂに示されている第１の位置と、保持要素２０４の各々が、対応するシリンジ１３２の先端１４０の近傍にあるシリンジフランジ１３３に係合して、耐圧ジャケット１３４に対する先端の方向及び基端の方向のシリンジ１３２の移動を制限する、図４Ａ及び図４Ｂに示されている第２の位置との間で回転するように構成されている。ユーザが手動で回転アーム２０２を回転させてもよいし、液注入器システム１００のユーザインタフェイス１２４を用いて回転アーム２０２を回転させてもよい。一実施形態では、シリンジ１３２が注入器ハウジング１０２に挿入された後に回転アーム２０２が自動的に回転する。たとえば、シリンジ１３２が注入器ハウジング１０２に適切に挿入されていることが完了しており、第１の位置から第２の位置への回転アーム２０２の回転を自動的に開始することになるかを判断するためのセンサを設けてもよい。第２の位置になった後、プロセッサは注入プロトコールを開始してもよい。
【００６７】
図４Ａ及び図４Ｂを参照して、シリンジ１３２の先端１４０の近傍にあるシリンジフランジ１３３に保持要素２０４が係合している第２の位置に回転アーム２０２がある様子が示されている。回転アーム２０２がその長手方向軸まわりに回転して第１の位置から第２の位置まで動いている。図４Ｂに示されているように、回転アーム２０２が第２の位置まで回転していると、シリンジフランジ保持アーム２０８が回転して、対応するシリンジ１３２の各々にあるシリンジフランジ１３３の少なくとも一部を受け入れて係合する。シリンジフランジ１３３をシリンジフランジ保持アーム２０８に形成されたスロット２１０に入れてもよい。シリンジフランジ保持アーム２０８のスロット２１０の先端側の面によって先端の方向のシリンジ１３２の移動が制限される。たとえば、輸液工程中に先端の方向にピストン１６を移動させるときにこの移動が制限される。シリンジフランジ保持アーム２０８のスロット２１０の基端側の面によって基端の方向のシリンジ１３２の移動が制限される。たとえば、ピストン１６を液充填工程中に基端の方向に後退させるときにこの移動が制限される。転動型ダイヤフラムシリンジを用いる実施形態については、まくられた転動型ダイヤフラムシリンジの側壁を戻してシリンジ１３２を充填するのに十分な基端向きの力が転動型ダイヤフラムの端の壁に加えられることを可能にするために、充填動作中のシリンジの基端向きの移動を制限しなければならない。さらに、いくつかの実施形態に係れば、キャップ保持アーム２０６が対応するシリンジ１３２の先端１４０に保持されるキャップ１３５の先端側の面に係合してもよい。キャップ保持アーム２０６は、注入器ハウジング１０２に対する先端の方向のシリンジ１３２の移動を制限するのも補助してもよい。
【００６８】
様々な実施形態では、シリンジフランジ保持アーム２０８のスロット２１０内でのシリンジフランジ１３３の先端向きの移動及び基端向きの移動がシリンジの機能性キャップ１３５と協働して、注入器のピストン１６が基端の向きに移動する際にシリンジの内部がバルク液容器と連通し、患者に至るチューブ経路とは連通しない液充填位置と、注入器のピストン１６が先端の向きに移動する際にシリンジの内部が患者に至るチューブ経路と連通し、バルク液容器とは連通しない輸液位置との間で特定の液経路の開放及び／又は閉鎖を行なってもよい。いくつかの実施形態では、機能性シリンジキャップ１３５は、シリンジの内部がバルク液容器とチューブ経路とから隔離される第３の閉鎖位置を含んでもよい。ピストンの基端向きの移動と先端向きの移動とを利用して液充填位置と輸液位置との間でそれぞれ作動することが可能な機能性スライドシリンジキャップ１３５の様々な実施形態がＰＣＴ国際公開第ＷＯ２０１９／０５５４９７号で説明されている。本文献の開示が参照により本明細書に援用される。
【００６９】
図５〜図８を参照して、本開示の別の例すなわち別の態様に係るシリンジ保持接続装置３００が示されている。シリンジ保持接続装置３００は、注入器ハウジング１０２に機能が発揮されるように接続したり注入器ハウジング１０２と一体的に形成したりすることができる本体の上部プレート３０２を含む。本体は少なくとも１つの耐圧ジャケット３０６の基端から少なくとも１つの耐圧ジャケット３０６の先端までは少なくとも延びる。上部プレート３０２には、注入器ハウジング１０２に入れておくことができるシリンジ１３２の個数に対応する個数の開口３０４を形成してもよい。たとえば、いくつかの実施形態に係れば、上部プレート３０２には、注入器ハウジング１０２の耐圧ジャケット３０６に入れておく２つのシリンジ１３２を入れるように構成されている２つの開口３０４を形成してもよい。耐圧ジャケット３０６を注入器ハウジング１０２に入れておいた状態で、シリンジ１３２を耐圧ジャケット３０６の先端に容易に挿入することができるように、開口３０４の直径がシリンジ１３２の外径を超えてもよい。少なくとも１つの耐圧ジャケット３０６は、たとえば、開口３０４を通じて挿入することにより注入器ハウジング１０２に着脱可能に挿入したりすることができる。すなわち、上部プレート３０２を取り外した後に挿入して、続いて上部プレート３０２を再び取り付けることにより注入器ハウジング１０２に着脱可能に挿入したり、注入器システム１００の側面、前面又は背面に対して注入器ハウジング１０２と上部プレート３０２との間に耐圧ジャケット３０６をスライドさせることによって横方向に挿入することにより注入器ハウジング１０２に着脱可能に挿入したりすることができる。耐圧ジャケット３０６は、医療グレードのプラスチック、複合材料や金属製であってもよく、所定回数の注入手順にわたって再使用可能であってもよい。たとえば、毎月、二年に一回、毎年や、注入器システム１００の使い方に応じて数年後に交換してもよい。耐圧ジャケット３０６は、注入手順中にシリンジ１３２の径方向の膨張を制限する十分な厚さ及び強度の耐圧ジャケットであってもよい。耐圧ジャケット３０６は、注入中に耐圧ジャケット３０６内でシリンジを保持するのを補助する１つ以上のシリンジ保持特徴部を含んでもよい。好適な耐圧ジャケットの例（この例によって限定は課されない）がＰＣＴ国際公開第ＷＯ２０１８／０５３０７４号で説明されている。本文献の開示が参照により本明細書に援用される。
【００７０】
図８に示されているように、シリンジ保持接続装置３００は、少なくとも１つのスライド可能アーム３０８として形成されている少なくとも１つの保持要素を含んでもよく、少なくとも１つの保持要素は、シリンジフランジ１３３及び／又は先端の円錐部１４５（図２を参照）など、少なくとも１つのシリンジ１３６の先端部の少なくとも一部に機能が発揮されるように係合して外れ、たとえばピストン１６を先端の方向に移動させる際に、注入器ハウジング１０２に対する先端の方向のシリンジ１３２の移動を制限するように構成されている。さらに、保持要素の、少なくとも部分的に周回する先端側の面がシリンジフランジ１３３の基端側の面に当接してシリンジ１３２を支持し、液充填手順中にシリンジの基端向きの移動を制限してもよい。スライド可能アーム３０８を、第１の開放位置と第２の閉鎖位置との間で少なくとも１つの耐圧ジャケット３０６の長手方向軸に対して横方向外向き方向に移動するように構成してもよい。スライド可能アーム３０８の横移動は、いずれかの横方向の移動、たとえば、側方、注入器の前面の方及び注入器の背面の方への移動であってもよい。各スライド可能アーム３０８は、スライド可能アーム３０８が耐圧ジャケット３０６から引き離されて、シリンジ１３２の耐圧ジャケット３０６への挿入が可能になる第１の開放位置と、スライド可能アーム３０８がシリンジ１３２の先端部の方に移動して係合して、本体３０２の開口３０４の直径を狭める第２の閉鎖位置とから移動するように構成されている。第２の閉鎖位置では、たとえば、狭められた開口３０４の直径が先端の先やシリンジ１３２のキャップ１３５の外周を取り囲むのに必要な幅を持つことにより、注入器ハウジング１０２に対する先端の方向のシリンジ１３２の移動が制限される。いくつかの実施形態では、たとえば充填動作中にピストン１６の基端向きの移動の際に、スライド可能アーム３０８が注入器ハウジング１０２に対する基端の方向のシリンジ１３２の移動を制限するのを補助することができることも考えられる。様々な実施形態に係れば、スライド可能アーム３０８は、シリンジフランジ１３３、シリンジ１３２の円錐部１４５、シリンジキャップ１３５又はシリンジ１３２の先端１４０に取り付けられた充填バルブ（図示せず）のうちの少なくとも１つの少なくとも一部に係合するように構成されている。いくつかの態様すなわちいくつかの例では、ユーザが手動でスライド可能アーム３０８を移動させてもよいし、液注入器システム１００のユーザインタフェイス１２４にて１つ以上の操作を開始することによってスライド可能アーム３０８を移動させてもよい。いくつかの例すなわちいくつかの態様では、シリンジ１３２を注入器ハウジング１０２に挿入した後にスライド可能アーム３０８を第２の閉鎖位置に自動的に移動させる。たとえば、シリンジ１３２が注入器ハウジング１０２内の耐圧ジャケット３０６に適切に挿入されていることが完了しているかを判断し、液注入器システム１００のプロセッサに信号を送って、第１の開放位置から第２の閉鎖位置へのスライド可能アーム３０８の移動を自動的に開始し、さらにシリンジ１３２の充填／プライミング手順を開始するためのセンサを設けてもよい。スライド可能アーム３０８の各々に、シリンジフランジ１３３又はシリンジキャップ１３５若しくは機能性充填バルブのフランジの少なくとも一部を入れて耐圧ジャケット３０６内でシリンジ１３２を保持するように構成されている少なくとも１つのスロット３１２を形成してもよいし、スライド可能アーム３０８の基端側の面が、シリンジ１３２の先端円錐部１４５に係合するように構成されている少なくとも１つの円錐面を有してもよい。スロット３１２の直径は、シリンジ１３２の先端向きの移動を止めたりシリンジ１３２の先端向きの移動を制限したりするようにシリンジ１３２の先端円錐部１４５の外径又は充填バルブ３１０の外径未満であってもよい。他の実施形態では、ＰＣＴ国際公開第ＷＯ２０１７／０４０１５４号（参照により本明細書に援用される）で説明されている光による空気のチェックの工程を実行することができるように、上記の直径を用いることで、シリンジの先端円錐部１４５が保持要素を越えて延びるようにしてもよい。少なくとも１つのスロット３１２を含む上記の実施形態では、シリンジフランジ１３３の先端側の面が先端側のスロットアームの基端側の面に当接することによって、シリンジ１３２の先端向きの移動を制限してもよく、シリンジフランジ１３３の基端側の面が基端側のスロットアームの先端側の面に当接することによって、シリンジ１３２の基端向きの移動を制限してもよい。シリンジ１３２の先端円錐部１４５に係合するように構成されている少なくとも１つの円錐面を含む上記の実施形態では、先端円錐部１４５が少なくとも１つの円錐面の基端側の面に当接することによってシリンジ１３２の先端向きの移動を制限してもよい。
【００７１】
図７に示されているように、様々な実施形態に係れば、スライド可能アーム３０８の一方が第１の開放位置と第２の閉鎖位置との間で移動することにより、同時に他方のスライド可能アーム３０８が第１の開放位置と第２の閉鎖位置との間で移動するような、歯車を用いた構成３１４を用いて、スライド可能アーム３０８を互いに動作可能に接続してもよい。歯車を用いた構成３１４を用いる場合、操作者が両方のスライド可能アーム３０８を移動させることができるし、プロセッサ上のボタンの押下に応じて１つのモータを操作して両方のアーム３０８を同時に移動させてもよい。第１の開放位置と第２の閉鎖位置との間で自動的にモータ駆動で動作させるために、スライド可能アーム３０８同士を歯車を介して接続することも行なってもよい。保持機構のプレート又は他の特徴部の位置を測定する１つ以上のセンサを組み込んでもよい。当業者には明らかであり、本開示の意図から逸脱しない範囲でスライド可能アーム３０８の動作のための様々な歯車構成が可能である。液注入器システム１００の注入工程又は充填工程中に発生する軸方向の力に抗するために上部プレート３０２と注入器ハウジング１０２の先端側の面との間にテンションロッド３１６を配置することができるという一実施形態もある。テンションロッド３１６を用いれば、このような抗力には液注入器システム１００の様々な特徴部の極僅かな直線的に増加する曲げによる撓みしかともなわないということが可能になる。
【００７２】
図８を参照して、いくつかの実施形態に係れば、注入器ハウジング１０２の先端側の面と上部プレート３０２の基端側の面とに耐圧ジャケット取外しプレート３１８ａ，３１８ｂをそれぞれ配置してもよい。耐圧ジャケット取外しプレート３１８ａ，３１８ｂは注入器ハウジング１０２の受入れ開口３２０と上部プレート３０２にある開口３０４との周囲を周回するものであってもよい。いくつかの例すなわちいくつかの態様では、耐圧ジャケット取外しプレート３１８ａ，３１８ｂ間での耐圧ジャケット３０６の横の動きを防ぐために耐圧ジャケット取外しプレート３１８ａ，３１８ｂの少なくとも一方にカムを用いてもよい。いくつかの例すなわちいくつかの態様では、耐圧ジャケット取外しプレート３１８ａ，３１８ｂの少なくとも一方は、たとえばカムプレートを回転させて耐圧ジャケット３０６を適所でロックするまで、耐圧ジャケット３０６を上部プレート３０２に押しつけて確実に当接させるために、耐圧ジャケット取外しプレート３１８ａ，３１８ｂまわりに周方向に離間する複数のボールばねディテント３２２を含んでもよい。いくつかの例すなわちいくつかの態様では、耐圧ジャケット取外しプレート３１８ａ，３１８ｂの少なくとも一方は、耐圧ジャケット取外しプレート３１８ａ，３１８ｂに対して回転して注入器ハウジング１０２内で耐圧ジャケット３０６を強固に保持する保持リップ３２４を含んでもよい。
【００７３】
図９を参照して、シリンジ保持接続装置３００’の一態様すなわち一実施形態が示されている。シリンジ保持接続装置３００’の本態様すなわち本実施形態の構成及び動作はシリンジ保持接続装置３００と同様であるが、注入器ハウジング１０２内でシリンジ１３２を保持するための異なる構成を含む。一例では、シリンジ保持接続装置３００に含まれるスライド可能アーム３０８の代わりに、シリンジ保持接続装置３００’は少なくとも一対の回転アーム３０８’，３０８’’を含む。回転アーム３０８’は、回転アーム３０８’，３０８’’が第１の開放位置（回転アーム３０８’を参照）と第２の閉鎖位置（回転アーム３０８’’を参照）との間で回転するように、回動点３０９まわりに回転するように構成してもよく、この場合、回転アーム３０８’，３０８’’は、第２の閉鎖位置にあるときに耐圧ジャケット３０６内でシリンジ１３２を保持して、注入器ハウジング１０２に対する先端の方向のシリンジ１３２の移動を制限する。
【００７４】
図９を引き続き参照して、シリンジ保持接続装置３００’の一態様すなわち一実施形態では、注入器ハウジング１０２内でシリンジ１３２を保持して、耐圧ジャケットと様々な注入器構成要素とに対するシリンジの割出しを行なうのを補助する保持フレーム３１１も設けてもよい。保持フレーム３１１は、保持フレーム３１１の両端に設けられた少なくとも１つの保持クリップ３１３ａ，３１３ｂを含んでもよい。シリンジ１３２の先端１４０に係合するように保持クリップ３１３ａ，３１３ｂを構成してもよい。一態様すなわち一実施形態では、保持クリップ３１３ａ，３１３ｂは、シリンジ１３２のキャップ１３５、シリンジフランジ１３３、及び／又はシリンジ１３２の先端部１４０に係合してもよい。保持フレーム３１１の少なくとも一部をシリンジ１３２に接続した後に注入器ハウジング１０２に動作可能に係合させてもよい。好適な保持フレーム３１１の例（この例によって限定は課されない）が、名称が「Ｓｙｒｉｎｇｅ  Ｃｏｌｌａｒ  ａｎｄ  Ｆｒａｍｅ」であり、出願日が２０１９年９月１０日であり、米国仮特許出願第６２／７３０，１５３号及び米国仮特許出願第６２／８３１，００４号の優先権を主張する、同日に出願されたＰＣＴ国際出願で説明されている。これらの３つの出願の開示は本参照により本明細書に援用される。
【００７５】
図１０〜図１７を参照して、本開示の別の例すなわち別の態様に係るシリンジ保持接続装置４００が示されている。シリンジ保持接続装置４００は、液注入器システム１００の注入器ハウジング１０２に機能が発揮されるように接続される基部４０２を含んでもよい。液注入器システム１００は、取り付けられるシリンジ１３２の個数に応じてシリンジ保持接続装置４００の１つ以上を含んでもよい。様々な実施形態に係れば、液注入器システム１００は、２つ以上のシリンジ１３２を保持するように２つ以上のシリンジ保持接続装置４００を含んでもよい。基部４０２は底部部材４０４と、底部部材４０４に垂直に延びて、シリンジ保持接続装置を閉鎖位置に付勢する１つ以上のばね４３２ａ，４３２ｂ，４３２ｃを取り付けるための２つの側部部材４０６ａ，４０６ｂとを含んでもよい。基部４０２の構成要素の１つ以上を注入器ハウジング１０２に機能が発揮されるように接続してもよい。基部４０２は、シリンジ１３２を入れて保持するように構成されている耐圧ジャケット４０８を保持してもよい。
【００７６】
シリンジ保持接続装置４００は、基部４０２に動作可能に接続され、耐圧ジャケット４０８内のシリンジ１３２を保持するのに用いられる少なくとも二対の保持アーム４１０ａ，４１０ｂも含んでもよい。保持アーム４１０ａ，４１０ｂの各対は、基部４０２に枢支接続される少なくとも２つの延長部材４１２ａ，４１２ｂ，４１２ｃ，４１２ｄを含んでもよい。耐圧ジャケット４０８に対して離接自在に回転するように延長部材４１２ａ，４１２ｂ，４１２ｃ，４１２ｄを構成してもよい。各保持アーム４１０ａ，４１０ｂは、対応する延長部材４１２ａ，４１２ｂ及び４１２ｃ，４１２ｄの先端に機能が発揮されるように接続される保持要素４１４ａ，４１４ｂもそれぞれ含んでもよい。いくつかの例すなわちいくつかの態様では、保持要素４１４ａ，４１４ｂの少なくとも一部はプラスチックや、ステンレス鋼などの金属製であってもよい。各保持要素４１４ａ，４１４ｂは、対向する保持要素４１４ａ，４１４ｂとともに形成されるときにシリンジ１３２の先端１４０を包み込む完全な円を形成する半円を形成してもよい。保持要素４１４ａ，４１４ｂの基端側の円錐面を、シリンジ１３２の先端１４０の円錐形状に当接するように構成してもよい。保持要素４１４ａ，４１４ｂは、シリンジフランジ１３３の基端側の面に当接してシリンジ１３２の基端向きの移動を制限するように構成されている先端側の面４５１ａ，４５１ｂをさらに含んでもよい。
【００７７】
図１０に示されているように、各保持アーム４１０ａ，４１０ｂは、ロック溝４２４ａ，４２４ｂと協働することによって保持アーム４１０ａ，４１０ｂを保持位置にロックするのに用いられる一対のロック突起４１６ａ，４１６ｂ，４１６ｃ，４１６ｄも含んでもよい。これについては以降で説明される。各保持要素４１４ａ，４１４ｂは、保持要素４１４ａ，４１４ｂ内に配置されて保持されるシリンジ円錐形支持体４１８ａ，４１８ｂも含んでもよい。シリンジ円錐形支持体４１８ａ，４１８ｂは、シリンジ１３２の先端部を支持し、かつシリンジ１３２の先端部の検査、たとえば、視覚的検査又はカメラ、センサ又はその他検出器一式を用いた検査を可能にするポリマー材料などの透明又は半透明の材料製であってもよい。たとえば、シリンジ１３２の先端部の検査により、ＰＣＴ国際出願公開第ＷＯ２０１７／０４０１５２号及びＰＣＴ国際出願公開第ＷＯ２０１７／０４０１５４号で説明されているような、シリンジ１３２内の空気の検出や、シリンジ内の液の種類の検出を行なうことができる。これらの文献の開示は参照により本明細書に援用される。保持要素４１４ａ，４１４ｂによってシリンジ円錐形支持体４１８ａ，４１８ｂを囲んで強化し、シリンジ１３２の円錐形先端１４０に対する強度の高い当接面を実現してもよい。保持要素４１４ａ，４１４ｂ及びシリンジ円錐形支持体４１８ａ，４１８ｂの形状はシリンジ１３２の先端１４０の円錐形に対応するように円錐形であってもよい。保持要素４１４ａ，４１４ｂ及びシリンジ円錐形支持体４１８ａ，４１８ｂの形状が円錐形であるように示されているが、シリンジ支持体の形状はシリンジの先端の形状に適合するように成形された任意の形状であってもよい。
【００７８】
図１０〜図１７に示されているように、シリンジ保持接続装置４００は、注入器ハウジング１０２に動作可能に接続され、注入手順中に保持アーム４１０ａ，４１０ｂを第２の閉鎖保持位置にロックするように構成されているロック機構４２０も含んでもよい。ロック機構４２０は、保持アーム４１０ａ，４１０ｂ及び耐圧ジャケット４０８を収容するようにほぼ正方形の断面を形成する、図１２に示されている４つのプレート部材４２２ａ，４２２ｂ，４２２ｃ，４２２ｄなどの１つ以上のプレート部材４２２を含んでもよい。正方形の断面が示されているが、他の断面が本開示の範囲に含まれる。たとえば、注入器ハウジング１０２に機能が発揮されるように接続されたレール４２３でロック機構４２０をガイドすることによってロック機構４２０を保持アーム４１０ａ，４１０ｂに対して先端向き及び基端向きに移動させてもよい。第１の開放位置すなわちロック解放位置と第２の閉鎖位置すなわちロック位置との間で移動するように、ロック機構４２０を保持アーム４１０ａ，４１０ｂに対して基端の方向及び先端の方向にそれぞれ移動させてもよい。図１４〜図１７に示されているように、プレート部材４２２の少なくとも一部が少なくとも１つのロック溝４２４を含んでもよく、たとえば、保持アーム４１０ａ，４１０ｂを第２の閉鎖位置に押さえておくときにロック突起４１６ａ，４１６ｂ，４１６ｃ，４１６ｄを入れるロック溝４２４ａ，４２４ｂをプレート部材のうちの２つのプレート部材４２２ｂ，４２２ｄの各々の内面に形成してもよい。さらに、図１４〜図１７に示されているように、保持アーム４１０ａ，４１０ｂを互いに離接させるのを補助するのに用いられる少なくとも２つのカム軌道４２６ａ，４２６ｂ，４２６ｃ，４２６ｄも２つのプレート部材４２２ｂ，４２２ｄの各々に形成してもよい。カム軌道４２６ａ，４２６ｂ，４２６ｃ，４２６ｄには、対応する延長部材４１２ａ，４１２ｂ，４１２ｃ，４１２ｄに接続され、その延長部材から延びるピン４２８ａ，４２８ｂ，４２８ｃ，４２８ｄを入れてもよい。いくつかの実施形態に係れば、シリンジ保持接続装置４００は、カム軌道４２６ａ，４２６ｂ，４２６ｃ，４２６ｄとピン４２８ａ，４２８ｂ，４２８ｃ，４２８ｄとによって延長部材４１２ａ，４１２ｂ，４１２ｃ，４１２ｄを第１の開放位置の方に動かすことができる一方で、延長部材４１２ａ，４１２ｂ，４１２ｃ，４１２ｄを第２の閉鎖位置の方に付勢する付勢されたばね４３２ａ，４３２ｂなどの１つ以上のばね４３２や、その他ポテンシャルエネルギー手段を含んでもよい。これらの実施形態に係れば、保持接続装置４００を閉鎖するのに必要な外力がばね４３２ａ，４３２ｂによって抑えられることにより、挟まるおそれがある危険性を最小にすることができる。
【００７９】
図１０〜図１７を参照して、シリンジ保持接続装置４００の動作が示されている。保持アーム４１０ａ，４１０ｂは、保持アーム４１０ａ，４１０ｂ同士及び対応する保持要素４１４ａ，４１４ｂ同士が隔てられている第１の開放位置と、保持アーム４１０ａ，４１０ｂが互いに隣接して位置して注入器ハウジング１０２に対する先端の方向のシリンジ１３２の移動を制限する第２の位置との間で動くように構成されている。図１０を参照して、シリンジ１３２が耐圧ジャケット４０８に挿入されるのを可能にするように、保持アーム４１０ａ，４１０ｂ同士を隔ててもよい。一例では、保持アーム４１０ａ，４１０ｂに取り付けられたばね４３２ａ，４３２ｂ（図１７を参照）によって保持アーム４１０ａ，４１０ｂが第２の位置すなわち閉鎖位置の方に付勢される受動的に閉鎖される構成で保持アーム４１０ａ，４１０ｂが配置される。一例では、ばねは圧縮ばねであってもよい。したがって、保持要素４１４ａ，４１４ｂを開放して耐圧ジャケット４０８へのシリンジ１３２の挿入を可能にするには、保持アーム４１０ａ，４１０ｂに力を加えなければならない。シリンジ１３２を耐圧ジャケット４０８に挿入し終わった後（図１１）、保持アーム４１０ａ，４１０ｂを第２の位置すなわち閉鎖位置まで動かして液注入器システム１００の注入器手順中の先端の方向のシリンジ１３２の移動を制限する。さらに、本出願で説明されているように、組み合った保持要素４１４ａ，４１４ｂの先端側の周回面４５１ａ，４５１ｂがシリンジフランジ１３３の基端側の面に当接してシリンジ１３２を支持し、充填手順中のシリンジの基端向きの移動を制限してもよい。図１２に示されているように、保持アーム４１０ａ，４１０ｂを第２の位置すなわち閉鎖ロック位置まで動かすと（図１３を参照）、保持要素４１４ａ，４１４ｂが向き合って、保持要素４１４ａ，４１４ｂ間に僅かしか隙間が形成されないか、隙間が形成されない位置になる。保持要素４１４ａ，４１４ｂ同士が近接して位置するので、保持要素４１４ａ，４１４ｂ間の距離が縮まり、これにより、注入器ハウジング１０２に対する先端の方向のシリンジ１３２の移動が制限される。
【００８０】
ピン４２８ａ，４２８ｂ，４２８ｃ，４２８ｄに外向き径方向の力を加えることによって保持アーム４１０ａ，４１０ｂ同士が離間して第１の開放位置まで動く（図１４〜図１７）。たとえば、モータ（図示せず）によってピン４２８ａ，４２８ｂ，４２８ｃ，４２８ｄに径方向外向きの力を加えて保持アーム４１０ａ，４１０ｂ同士を離間させてもよい。たとえば、プレート４２２を基端の方向に移動させるのに応じて、ピン４２８ａ，４２８ｂ，４２８ｃ，４２８ｄが、対応するカム用の面４３４ａ，４３４ｂ，４３４ｃ，４３４ｄと協働してそのカム用の面に載りかかってカム用の面に沿い、ピン４２８ａ，４２８ｂ，４２８ｃ，４２８ｄ同士及び対応する保持アーム４１０ａ，４１０ｂ同士が離間する。第１の開放位置では、ピン４２８ａ，４２８ｂ，４２８ｃ，４２８ｄが上部４３０ａ，４３０ｂまで至ってその上部に載りかかり、保持接続装置４００を第１の開放位置にロックすることができる。モータによって生じる径方向外向きの力が接続装置のばね４３２ａ，４３２ｂによって与えられるばね力に打ち勝つことにより、保持アーム４１０ａ，４１０ｂ同士が離間することができる。シリンジ１３２を耐圧ジャケット４０８に挿入し終わった後（図１１）、モータによって４２２ａ，４２２ｂ，４２２ｃ，４２２ｄを先端向きに移動させてピン４２８ａ，４２８ｂ，４２８ｃ，４２８ｄを上部４３０ａ，４３０ｂから後退させ、ピン４２８ａ，４２８ｂ，４２８ｃ，４２８ｄをカム用の面４３４ａ，４３４ｂ，４３４ｃ，４３４ｄに沿って第２の閉鎖位置まで駆動したり、単純に、圧縮ばね４３２ａ，４３２ｂによって保持アーム４１０ａ，４１０ｂを動かして第２の位置すなわち保持位置まで戻すことができるようにしたりしてもよい。保持アーム４１０ａ，４１０ｂのばね駆動式閉鎖手段を含むいくつかの例すなわちいくつかの態様では、保持要素４１４ａ，４１４ｂの閉鎖中に自身の指を保持要素４１４ａ，４１４ｂ間に不用意に置いたままにする可能性があるユーザにとって、保持アーム４１０ａ，４１０ｂの閉鎖手段は挟む危険を生じる可能性が低い。さらに、当該機構により、保持要素４１４ａ，４１４ｂ間に障害物がある場合にロック位置までモータによって動かされることも防止することができる。保持アーム４１０ａ，４１０ｂが第２の位置すなわち保持位置まで動くと、ロック突起４１６ａ，４１６ｂ，４１６ｃ，４１６ｄがそれぞれ隣接し合って配置される。図１３に示されているように、ロック突起４１６ａ，４１６ｂ，４１６ｃ，４１６ｄがロック機構４２０の対応するロック溝４２４ａ，４２４ｂに入るように、先端の方向のロック機構４２０の移動をモータによってさらに進めてもよい。ロック溝４２４ａ，４２４ｂに入って配置されると、たとえばピストンによって加えられる先端向きの力を受けて、ロック突起４１６ａ，４１６ｂ，４１６ｃ，４１６ｄが径方向外向きに第１の開放位置の方に動くことが防止され、したがって、保持アーム４１０ａ，４１０ｂも径方向外向きに第１の開放位置の方に動くことが防止される。第１の開放位置にはならずに、保持アーム４１０ａ，４１０ｂは第２の位置すなわち閉鎖位置に保たれる。
【００８１】
本開示の別の例では、シリンジ保持接続装置４００に受動的制御構成を用いる代わりに、能動的制御構成を用いて、第１の開放位置と第２の位置すなわち閉鎖位置との間で保持アーム４１０ａ，４１０ｂを動かしてもよい。この能動的制御構成では、保持アーム４１０ａ，４１０ｂ及び保持要素４１４ａ，４１４ｂの位置を常時モータによって完全に測定して制御する。特に、ロック機構４２０を注入器ハウジング１０２に対して基端の方向及び先端の方向に移動させて保持アーム４１０ａ，４１０ｂ同士を離接させてもよい。図１５に示されているように、ロック機構４２０が下の位置に位置するときには、延長部材４１２ａ，４１２ｃのピン４２８ａ，４２８ｂがロック機構４２０のカム面４３４ａ，４３４ｂの上部４３０ａ，４３０ｂに位置する。ピン４２８ａ，４２８ｂがいずれかの径方向に動くことが上部４３０ａ，４３０ｂによって抑制されることにより、保持アーム４１０ａ，４１０ｂが耐圧ジャケット４０８に対して意図せず外向きに動いたり内向きに動いたりすることが防止される。ピン４２８ａ，４２８ｂをカム軌道４２６ａ，４２６ｂの上部４３０ａ，４３０ｂまで移動させることにより、保持アーム４１０ａ，４１０ｂが第１の開放位置に保たれ、ユーザはシリンジ１３２を耐圧ジャケット４０８に挿入することができる。これの代わりに、圧縮ばね４３２ａ，４３２ｂを用いないシリンジ保持接続装置４００’の別の実施形態が図１６Ｂに示されている。ただし、シリンジ保持接続装置４００’は同様の特徴部（第２の基端側のカム軌道４２６ａ，４２６ｂに関するものを除く）を別様に有する。シリンジ保持接続装置４００’は、カム軌道４３４ａ’，４３４ｂ’に沿った形状を持つ一方でピン４２８ａ’，４２８ｂ’の基端側に当接する斜面を有する第２の基端側のカム軌道４２６ａ，４２６ｂを含む。これにより、ピン４２８ａ’，４２８ｂ’が第２の基端側のカム軌道４２６ａ，４２６ｂの中間の傾斜部に沿って導かれ、保持アーム４１０ａ’，４１０ｂ’が第１の開放位置から第２の閉鎖位置に動くように、モータによって保持アーム４１０ａ’，４１０ｂ’同士が接近することを可能にすることができる。
【００８２】
図１２及び図１６Ａに示されているように、シリンジ１３２を耐圧ジャケット４０８に挿入し終わった後、ロック機構４２０を注入器ハウジング１０２に対して先端向きすなわち上向きの方向に移動させてもよい。ロック機構４２０を先端向きに移動させる際、圧縮ばね４３２ａ，４３２ｂは、ピン４２８ａ，４２８ｂがカム軌道４２６ａ，４２６ｂの中間の傾斜部４３４ａ，４３４ｂに沿って導かれるように保持アーム４１０ａ，４１０ｂを互いの方に押すように構成されている。中間の傾斜部４３４ａ，４３４ｂは保持アーム４１０ａ，４１０ｂ同士を徐々に接近させて第２の位置すなわち閉鎖位置まで動かすのを補助する。保持アーム４１０ａ，４１０ｂ同士が接近するのに応じて、ピン４２８ａ，４２８ｂがカム軌道４２６ａ，４２６ｂの中間の傾斜部４３４ａ，４３４ｂからほぼ垂直の部分４３６ａ，４３６ｂに移行することになる。図１６Ａに示されているように、中間の傾斜部４３４ａ，４３４ｂからほぼ垂直の部分４３６ａ，４３６ｂにピン４２８ａ，４２８ｂが移行する際、シリンジ１３２の先端向きの移動を制限するように保持要素４１４ａ，４１４ｂが位置するように、保持アーム４１０ａ，４１０ｂが第２の位置すなわち保持位置で係合状態になることになる。
【００８３】
図１３及び図１７を参照して、その後、ピン４２８ａ，４２８ｂがほぼ垂直の部分４３６ａ，４３６ｂに沿ってさらに移動するようにロック機構４２０を先端向きすなわち上向きの方向にさらに移動させてもよい。ロック機構４２０が先端の方向に移動し続けると、ロック突起４１６ａ，４１６ｂ，４１６ｃ，４１６ｄがロック機構４２０のロック溝４２４ａ，４２４ｂ内まで動かされる。本出願で説明されているように、ロック突起４１６ａ，４１６ｂ，４１６ｃ，４１６ｄがロック溝４２４ａ，４２４ｂ内に配置されれば、保持アーム４１０ａ，４１０ｂが径方向に外向き方向に動くのも径方向に内向き方向に動くのも防止される。いくつかの例すなわちいくつかの態様では、ロック突起４１６ａ，４１６ｂ，４１６ｃ，４１６ｄの外に飛び出た角にテーパを施してロック突起４１６ａ，４１６ｂ，４１６ｃ，４１６ｄ及び保持要素４１４ａ，４１４ｂを固着した緩みのないロック位置に強制的に入れてもよい。別の態様では、ロック突起４１６ａ，４１６ｂ，４１６ｃ，４１６ｄは、保持アーム４１０ａ，４１０ｂが第２の位置すなわち閉鎖位置にある場合にだけロック溝４２４ａ，４２４ｂに嵌入されるように設計されている。したがって、障害物が保持アーム４１０ａ，４１０ｂ間に存在する場合、ロック突起４１６ａ，４１６ｂ，４１６ｃ，４１６ｄが２つのプレート部材４２２ｂ，４２２ｄの部分に干渉して、ロック機構４２０によって保持アーム４１０ａ，４１０ｂが第２の位置すなわち閉鎖位置まで動かされることが防止される。
【００８４】
図１３に示されているいくつかの例すなわちいくつかの態様では、保持アーム４１０ａ，４１０ｂがロックされる前に、保持アーム４１０ａ，４１０ｂの現在の状態すなわち位置を測定する少なくとも１つのセンサ４３８をロック機構４２０に付加してもよい。いくつかの例すなわちいくつかの態様では、センサ４３８は、光学センサ、成否センサ（make or break sensor）、磁気スイッチセンサ、モータ電流若しくはエンコーダセンサ、近接センサ又はモーションセンサであってもよい。保持アーム４１０ａ，４１０ｂが第２の位置すなわち閉鎖位置まで動かされたことがいつ完了したかを検出して、ロック機構４２０が先端の方向に移動して保持アーム４１０ａ，４１０ｂをロックし、たとえばシリンジ充填工程を開始することによって液注入プロトコールを開始することが可能か否かを液注入器システム１００に示すようにセンサ４３８を構成してもよい。障害物が保持要素４１４ａ，４１４ｂ間に位置し、障害物によって保持アーム４１０ａ，４１０ｂが第２の位置すなわち閉鎖位置まで動くことが妨げられる場合、センサ４３８が作動しないか、あるいは、保持要素４１４ａ，４１４ｂが閉鎖されないため、障害物が取り除かれて、ロック機構４２０をロック位置まで移動させて保持アーム４１０ａ，４１０ｂを第２の位置すなわち閉鎖位置でロックすることができるまで、液注入器システム１００によってロック機構４２０を先端の方向に移動させることが阻害されることを示す信号をセンサ４３８がプロセッサに送る。
【００８５】
保持アーム４１０ａ，４１０ｂを第２の位置すなわち保持位置でロックした後、保持要素４１４ａ，４１４ｂによって注入手順中にシリンジ１３２に加えられる上向きすなわち先端向きの力に抗することにより耐圧ジャケット４０８内にシリンジ１３２を拘束する。さらに、保持要素４１４ａ，４１４ｂにより、シリンジ１３２の円錐形先端部１４０を支持し、保持要素４１４ａ，４１４ｂに当接しているシリンジ１３２の円錐形先端部１４０が注入手順中に及ぼされる圧力により広がる／ふくらむことを防ぐことによってシリンジのコンプライアンスを最小にする。ロック機構４２０によってシリンジ１３２の円錐形先端部１４０での一切の径方向の膨張力に抗しつつ、シリンジ１３２に及ぼされる先端向き軸方向の力を注入器ハウジング１０２の基部に下方に伝達するのを延長部材４１２ａ，４１２ｂ，４１２ｃ，４１２ｄによって補助してもよい。引張荷重を延長部材４１２ａ，４１２ｂ，４１２ｃ，４１２ｄから延長部材４１２ａ，４１２ｂ，４１２ｃ，４１２ｄの基端に設けられたピン４０１ａ，４０１ｂ，４０１ｃ，４１０ｄを通じて基部４０２に伝えることも延長部材４１２ａ，４１２ｂ，４１２ｃ，４１２ｄによって補助してもよい。いくつかの実施形態では、保持要素４１４ａ，４１４ｂは、第２の閉鎖位置で、ピストン／端の壁又はピストン／プランジャ後退工程中のシリンジ１３２の基端向きの移動を制限するときにシリンジフランジ１３３の少なくとも一部を入れるスロットを含んでもよい。これの代わりに、組み合わされた保持要素４１４ａ，４１４ｂの先端側の面４５１ａ，４５１ｂにシリンジフランジ１３３の基端側の面が当接することで、ピストン／端の壁又はピストン／プランジャ後退工程中のシリンジの基端向きの移動を制限する。
【００８６】
図１８〜図２４を参照して、本開示に係るシリンジ保持接続装置５００の別の例すなわち別の態様が示されている。シリンジ保持接続装置５００を注入器ハウジング１０２の上部プレート３０２に設けて、液注入器システム１００の注入手順中の先端の方向及び基端の方向のシリンジ１３２の移動を制限してもよい。シリンジ保持接続装置５００は、上部本体５０２と、下部本体５０４と、上部本体５０２と下部本体５０４との間に動作可能に配置されたカムプレート５０６（図２１に示されている）とを含んでもよい。上部本体５０２と下部本体５０４とは、たとえば少なくとも１つのねじ５５２によって互いに、機能が発揮されるように接続される中実のプレート部材であってもよい。カムプレート５０６に機能が発揮されるように接続されるノブ５０８によってカムプレート５０６を上部本体５０２及び下部本体５０４の枠内で手動により回転させてもよい。別の態様では、液注入器システム１００に搭載されたコントローラによって操作されるモータを用いてカムプレート５０６を自動的に回転させてもよい。シリンジ１３２をシリンジ保持接続装置５００に挿入するときに耐圧ジャケット５１２にシリンジ１３２を入れるように構成することができる開口５１０をシリンジ保持接続装置５００に形成してもよい。本出願で開示されているように耐圧ジャケット５１２を注入器ハウジング１０２に機能が発揮されるように接続してもよい。
【００８７】
シリンジ保持接続装置５００は少なくとも２つの保持要素５１４ａ，５１４ｂも含んでもよく、これらは、注入手順中にシリンジ１３２を保持してシリンジ保持接続装置５００内に入った状態を保つように構成することができるプラスチックや、ステンレスなどの金属製であってもよい。保持要素５１４ａ，５１４ｂはカムプレート５０６に動作可能に接続される。ハンドル５０８の回転すなわちカム機構の回転の際に互いに離接するように保持要素５１４ａ，５１４ｂを構成してもよい。シリンジ１３２の先端１４０の円錐形状に当接するように保持要素５１４ａ，５１４ｂの基端側の円錐面を構成してもよい。各保持要素５１４ａ，５１４ｂは、保持要素５１４ａ，５１４ｂ内に配置されて保持されるシリンジ円錐形支持体５１６ａ，５１６ｂを含んでもよい。シリンジ円錐形支持体５１６ａ，５１６ｂの少なくとも一部は、本出願で説明されているように、シリンジ１３２の先端部を支持し、かつシリンジ１３２の先端部の検査を可能にするポリマー材料などの透明又は半透明の材料製であってもよい。保持要素５１４ａ，５１４ｂによってシリンジ円錐形支持体５１６ａ，５１６ｂを囲んで強化してもよい。保持要素５１４ａ，５１４ｂ及びシリンジ円錐形支持体５１６ａ，５１６ｂの形状はシリンジ１３２の先端１４０の円錐形に対応するように円錐形であってもよい。
【００８８】
図１９に示されているように、保持要素５１４ａ，５１４ｂを通過させてシリンジ１３２をシリンジ保持接続装置５００に挿入してもよい。保持要素５１４ａ，５１４ｂ同士が隔てられて第１の開放位置にあり、これにより、開口５１０を通じてシリンジ１３２を耐圧ジャケット５１２に挿入することができる。様々な実施形態に係れば、ハンドル５０８を持ったりプロセッサによってモータを用いたりして、シリンジ保持接続装置５００を第１の開放位置に維持して保持要素５１４ａ，５１４ｂ同士を隔てておいてもよい。図１９に示されているように、保持要素５１４ａ，５１４ｂ間に形成される隙間を、開口を通じてシリンジ１３２を耐圧ジャケット５１２に挿入するのを可能にするのに十分に広くすることができる。
【００８９】
図２０を参照して、シリンジ１３２を耐圧ジャケット５１２に挿入した後、ハンドル５０８を回転させたりプロセッサによってシリンジ保持接続装置５００を第２の閉鎖位置まで動かしたりして、保持要素５１４ａ，５１４ｂを互いの方に押しつけて互いの間の隙間を閉鎖してもよい。ハンドル５０８を手動で回転させたり液注入システム１００のコントローラを用いて自動的に回転させたりしてもよいし、プロセッサによってモータを用いて動かして開口を閉鎖してもよい。保持要素５１４ａ，５１４ｂを押して触れ合わせて、シリンジ１３２の先端の先が突き出ることができる小さい直径の開口を残して保持要素５１４ａ，５１４ｂ間の隙間を閉鎖してもよいし、２つの保持要素５１４ａ，５１４ｂ間に無視し得る隙間を残すように、保持要素５１４ａ，５１４ｂを押し合わせてもよい。保持要素５１４ａ，５１４ｂを押してこのような第２の位置すなわち閉鎖位置にするときに、保持要素５１４ａ，５１４ｂがシリンジ１３２の先端部を覆って液注入器システム１００の注入手順中の注入器ハウジング１０２又はシリンジ保持接続装置５００に対する先端の方向のシリンジ１３２の移動を制限する。さらに、保持要素５１４ａ，５１４ｂの先端側の周回面がシリンジフランジ１３３の基端側の面に当接してシリンジ１３２を支持して充填手順中のシリンジの基端向きの移動を制限してもよい。したがって、保持要素５１４ａ，５１４ｂによってシリンジ１３２に対する軸方向及び径方向の支持が得られる。さらに、保持要素５１４ａ，５１４ｂは保持要素５１４ａ，５１４ｂから下部本体５０４に軸方向の荷重を伝えるのを補助する。図２０をさらに参照して、保持要素５１４ａ，５１４ｂを第２の位置すなわち閉鎖位置まで移動させた後、それぞれの保持要素５１４ａ，５１４ｂに機能が発揮されるように接続されたガイド面５１８ａ，５１８ｂが開口５１０まで延びる。ガイド面５１８ａ，５１８ｂを開口５１０及び保持要素５１４ａ，５１４ｂの部分まで延ばすことによって、保持要素５１４ａ，５１４ｂ同士を接近させることによって残される場合がある一切の隙間がガイド面５１８ａ，５１８ｂによって埋められ、これにより、なんらかの液やごみが開口５１０を通じてシリンジ保持接続装置５００内に落下し、場合によっては注入器ハウジング１０２内に落下することが防止される。ハンドル５０８を第１の開放位置と第２の閉鎖位置との間で動かして保持要素５１４ａ，５１４ｂを離接させてもよい。いくつかの例すなわちいくつかの態様では、ハンドル５０８が不用意に動かされないように、第１の開放位置又は第２の閉鎖位置にあるときにハンドル５０８すなわちカムシステムをロックしてもよい。他の実施形態では、保持要素５１４ａ，５１４ｂの移動をプロセッサを通じてモータによって制御する。
【００９０】
図２１を参照して、シリンジ保持接続装置５００の内部構成要素が示されている。カムプレート５０６をたとえばハンドル５０８を用いて回転し、これによって、以下で説明されているようにカム機構を利用して保持要素５１４ａ，５１４ｂを離接させてもよい。図２１では、ハンドル５０８が第１の開放位置にあり、保持要素５１４ａ，５１４ｂ同士が隔てられている様子が示されている。図２２を参照して、ハンドル５０８が第２の位置にあり、保持要素５１４ａ，５１４ｂ同士が接近して第２の位置すなわち閉鎖位置になっている。
【００９１】
図２３及び図２４を参照して、シリンジ保持接続装置５００と、特にカムプレート５０６との動作及びロック機構をさらに説明する。明確にするために図から保持要素５１４ａ，５１４ｂのガイド部材５１８ａ，５１８ｂが取り除かれている。カムプレート５０６には、保持要素５１４ａ，５１４ｂ同士を離接させ、保持要素５１４ａ，５１４ｂを第２の閉鎖位置にあるときにロックするのに用いられる図２３及び図２４に示されている４つの独立した溝５２０ａ，５２０ｂ，５２０ｃ，５２０ｄなどの２つ以上の溝を形成してもよい。図２３に示されているように、ガイドピン５２２ａを各ガイド部材５１８ａ，５１８ｂに機能が発揮されるように接続してもよい。図２３にはガイド部材５１８ｂに対応するガイドピンが示されていないが、ガイド部材５１８ａに接続されたガイドピン５２２ａと同様に、機能が発揮されるように接続されて動くことになる。ガイドピン５２２ａ，５２２ｂが、対応する溝５２０ａ，５２０ｃの径方向に最も外側にある端に位置するとき、ガイドピン５２２ａ，５２２ｂによって外向きの方向に保持要素５１４ａ，５１４ｂが引っ張られるので、保持要素５１４ａ，５１４ｂ同士が隔てられて第１の開放位置にある。
【００９２】
ハンドル５０８すなわちカムシステムを第２の閉鎖位置まで回転させるのに応じて、ガイドピン５２２ａ，５２２ｂが溝５２０ａ，５２０ｃの最も外側にある端から溝５２０ａ，５２０ｃの最も内側にある端まで動かされる。ガイドピン５２２ａ，５２２ｂが溝５２０ａ，５２０ｃの最も外側にある端から最も内側にある端まで動かされるのに応じて、ガイドピン５２２ａ，５２２ｂによって対応するガイド部材５１８ａ，５１８ｂが、対向するガイド部材の方に内向きに動かされる。
【００９３】
図２３及び図２４を参照して、シリンジ保持接続装置５００のさらに別のロック特徴部が示されている。シリンジ保持接続装置５００は、カムプレート５０６に設けられた少なくとも２つのカム操作式ロック部材５２４ａ，５２４ｂも含んでもよい。保持要素５１４ａ，５１４ｂと同様に、カムプレート５０６の回転の際に離接するようにロック部材５２４ａ，５２４ａを構成してもよい。各ロック部材５２４ａ，５２４ｂは、カムプレート５０６のカム溝５２０ｂ，５２０ｄに入れられるガイドピン５２６ａ，５２６ｂを含んでもよい。ガイドピン５２６ａ，５２６ｂは、溝５２０ｂ，５２０ｄ内で移動してロック部材５２４ａ，５２４ｂをスライドさせて保持要素５１４ａ，５１４ｂにある保持キー５２９ａ，５２９ｂに対して離接させるように構成されている。ロック部材５２４ａ，５２４ｂは、第１の位置すなわちロック解放位置と第２の位置すなわちロック位置との間で移動するように構成されている。
【００９４】
ハンドル５０８が第１の開放位置から第２の位置すなわち閉鎖位置まで回転する際、ガイドピン５２６ａ，５２６ｂが最初に溝５２０ｂ，５２０ｄに沿って移動するが、ロック部材５２４ａ，５２４ｂを保持要素５１４ａ，５１４ｂの方に移動させない。ハンドル５０８を第２の位置すなわち閉鎖位置まで動かし終わって、保持要素５１４ａ，５１４ｂが保持位置に位置した後、ハンドル５０８をさらに回転させて、ガイドピン５２６ａ，５２６ｂを溝５２０ｂ，５２０ｄに沿ってさらに移動させてもよい。本開示のいくつかの例すなわちいくつかの態様では、ハンドル５０８をさらに所定角度回転させて、ロック部材５２４ａ，５２４ｂをロックキー５２９ａ，５２９ｂとのロック位置まで移動させてもよい。溝５２０ｂ，５２０ｄの端が傾いているので、ガイドピン５２６ａ，５２６ｂが保持要素５１４ａ，５１４ｂの方に内向きに動かされ、これにより、ロック部材５２４ａ，５２４ｂが保持要素５１４ａ，５１４ｂのロックキー５２９ａ，５２９ｂの方に動かされる。ハンドル５０８がさらに回転しても、保持要素５１４ａ，５１４ｂが保持要素５１４ａ，５１４ｂの方にもはや押されないように、保持要素５１４ａ，５１４ｂのガイドピン５２２ａ向けの溝５２０ａ，５２０ｃの径方向に最も外側にある端部は一定の半径を保ってもよい。溝５２０ｂ，５２０ｄの各端は、反作用荷重（ロック用のプレロードによるもの）によって溝５２０ｂ，５２０ｄに対するガイドピン５２６ａ，５２６ｂの「逆駆動（ｂａｃｋ−ｄｒｉｖｉｎｇ）」を防ぐ一定の半径も含んでもよい。図２４を参照して、ロック部材５２４ａ，５２４ｂが保持要素５１４ａ，５１４ｂの方に動かされると、ロック部材５２４ａ，５２４ｂに形成されたロック溝５２８ａ，５２８ｂに各保持要素５１４ａ，５１４ｂの部分が入る。ロック溝５２８ａ，５２８ｂに保持要素５１４ａ，５１４ｂのロックキー５２９ａ，５２９ｂを入れることで、保持要素５１４ａ，５１４ｂ同士が分離することが防止される。したがって、本開示の一例すなわち一態様では、保持要素５１４ａ，５１４ｂを分離する唯一の方法は、ハンドル５０８を回転させて第１の位置すなわち開放位置まで戻すことになる。本開示の一例すなわち一態様では、ロック溝５２８ａ，５２８ｂの内面には、締め代すなわちプレロードをロック部材５２４ａ，５２４ｂに施すことを可能にするくさび作用を生じさせるテーパを施してもよい。さらに、保持要素５１４ａ，５１４ｂのロックキー５２９ａ，５２９ｂを直接ロック溝５２８ａ，５２８ｂに入れることによって、ロック部材５２４ａ，５２４ｂのロックする力が中間の構成要素を介することを要さずに直接保持要素５１４ａ，５１４ｂに加えられる。したがって、ロック部材５２４ａ，５２４ｂを用いることで、径方向の荷重によって保持要素５１４ａ，５１４ｂが分離することが防止される。
【００９５】
前述の説明に本発明の様々な例が示されているが、当業者は開示の範囲と精神とを逸脱しない範囲でこれらの例に修正及び変更を加えることができる。したがって、前述の説明は限定的ではなく例示的であることを意図している。上記で説明されている開示は添付の請求項によって定められており、請求項の均等の趣旨及び範囲に含まれる開示に対するすべての変更がその範囲に含まれる。
【符号の説明】
【００９６】
１３  シリンジポート
１４  プランジャ
１４  接続装置
１６  ピストン
２１  液供給源
２３  液導管
３１  長手方向軸
１００  液注入器システム
１０２  注入器ハウジング
１０４  側面
１０６  上端
１０８  下端
１２４  ユーザインタフェイス
１２６  制御ボタン
１３２  シリンジ
１３３  シリンジフランジ
１３４  耐圧ジャケット
１３５  機能性スライドシリンジキャップ
１３６  シリンジ
１３９  シリンジ内部
１４０  円錐形先端部
１４０  先端
１４１  ピストン係合特徴部
１４２  基端の端
１４３  基端の壁
１４５  先端円錐部
２００  シリンジ保持接続装置
２０２  回転アーム
２０４  保持要素
２０６  キャップ保持アーム
２０８  シリンジフランジ保持アーム
２１０  スロット
２３１  回動点
３００  シリンジ保持接続装置
３０２  上部プレート
３０２  本体
３０４  開口
３０６  耐圧ジャケット
３０８  スライド可能アーム
３０９  回動点
３１０  充填バルブ
３１１  保持フレーム
３１２  スロット
３１３ａ，３１３ｂ  保持クリップ
３１４  歯車を用いた構成
３１６  テンションロッド
３１８ａ，３１８ｂ  耐圧ジャケット取外しプレート
３２０  受入れ開口
３２２  ボールばねディテント
３２４  保持リップ
４００  シリンジ保持接続装置
４０１ａ，４０１ｂ，４０１ｃ  ピン
４０２  基部
４０４  底部部材
４０６ａ，４０６ｂ  側部部材
４０８  耐圧ジャケット
４１０ａ，４１０ｂ  保持アーム
４１０ｄ  ピン
４１２ａ，４１２ｂ，４１２ｃ，４１２ｄ  延長部材
４１４ａ，４１４ｂ  保持要素
４１６ａ，４１６ｂ，４１６ｃ，４１６ｄ  ロック突起
４１８ａ，４１８ｂ  シリンジ円錐形支持体
４２０  ロック機構
４２２  プレート部材
４２３  レール
４２４  ロック溝
４２６ａ，４２６ｂ，４２６ｃ，４２６ｄ  カム軌道
４２８ａ，４２８ｂ，４２８ｃ，４２８ｄ  ピン
４３２  ばね
４３８  センサ
５００  シリンジ保持接続装置
５０２  上部本体
５０４  下部本体
５０６  カムプレート
５０８  ノブ
５０８  ハンドル
５１０  開口
５１２  耐圧ジャケット
５１４ａ，５１４ｂ  保持要素
５１６ａ，５１６ｂ  シリンジ円錐形支持体
５１８ａ，５１８ｂ  ガイド部材
５２２ａ，５２２ｂ  ガイドピン
ガイドピン
５２４ａ，５２４ｂ  カム操作式ロック部材
５２６ａ，５２６ｂ  ガイドピン
５２８ａ，５２８ｂ  ロック溝
【図１】
2022500210.tif 000003
【図２】
2022500210.tif 000004
【図３Ａ】
2022500210.tif 000005
【図３Ｂ】
2022500210.tif 000006
【図４Ａ】
2022500210.tif 000007
【図４Ｂ】
2022500210.tif 000008
【図５】
2022500210.tif 000009
【図６】
2022500210.tif 000010
【図７】
2022500210.tif 000011
【図８】
2022500210.tif 000012
【図９】
2022500210.tif 000013
【図１０】
2022500210.tif 000014
【図１１】
2022500210.tif 000015
【図１２】
2022500210.tif 000016
【図１３】
2022500210.tif 000017
【図１４】
2022500210.tif 000018
【図１５】
2022500210.tif 000019
【図１６Ａ】
2022500210.tif 000020
【図１６Ｂ】
2022500210.tif 000021
【図１７】
2022500210.tif 000022
【図１８】
2022500210.tif 000023
【図１９】
2022500210.tif 000024
【図２０】
2022500210.tif 000025
【図２１】
2022500210.tif 000026
【図２２】
2022500210.tif 000027
【図２３】
2022500210.tif 000028
【図２４】
2022500210.tif 000029
【国際調査報告】
2022500210.tif 000030
2022500210.tif 000031
2022500210.tif 000032
2022500210.tif 000033
2022500210.tif 000034